(57)【特許請求の範囲】
【請求項１】
マルチ・キャリア無線環境内でランダム・アクセスを実行することを容易にする無線通信の方法であって、
複数のアップリンク・キャリアから、ユーザ機器（ＵＥ）によってランダム・アクセスのために使用されるべきアップリンク・キャリアを決定することと、
前記ＵＥにおいて、１または複数のダウンリンク・キャリアを特定するための１または複数のパラメータを決定することと、
前記ＵＥから、前記１または複数のパラメータを利用して、前記決定されたアップリンク・キャリアを介してランダム・アクセス信号を送信することと、
前記ＵＥにおいて、前記１または複数のパラメータによって特定可能な前記１または複数のダウンリンク・キャリアのうちの少なくとも１つを介して、ランダム・アクセス応答を受信することと
を備える方法。
【請求項２】
前記アップリンク・キャリアを決定することはさらに、
複数のダウンリンク・キャリアからダウンリンク・アンカ・キャリアを決定することと、
前記ランダム・アクセスのために使用されるべきアップリンク・キャリアとして、前記ダウンリンク・アンカ・キャリアに対応するアップリンク・キャリアを選択することと
を備える、請求項１に記載の方法。
【請求項３】
前記アップリンク・キャリアを決定することはさらに、
前記ＵＥがキャンプするダウンリンク・キャリアを決定することと、ここで、前記ＵＥは、前記ダウンリンク・キャリアに同期し、前記ダウンリンク・キャリアにおいてシステム情報のうちの少なくとも一部を受信する、
前記ランダム・アクセスのために使用されるべきアップリンク・キャリアとして、前記ダウンリンク・キャリアに対応するアップリンク・キャリアを選択することと
を備える、請求項１に記載の方法。
【請求項４】
前記アップリンク・キャリアを決定することはさらに、前記ランダム・アクセスのために使用されるべきアップリンク・キャリアとして、前記ＵＥがランダム・アクセス・パラメータを知っている前記複数のアップリンク・キャリアのうちの１つをランダムに選択することを備える、請求項１に記載の方法。
【請求項５】
前記アップリンク・キャリアを決定することはさらに、
前記ＵＥの帯域幅能力に基づいて、１または複数のアップリンク・キャリアのセットを決定することと、
前記ランダム・アクセスのために使用されるべきアップリンク・キャリアとして、前記１または複数のアップリンク・キャリアのセットから、アップリンク・キャリアを選択することと
を備える、請求項１に記載の方法。
【請求項６】
前記ランダム・アクセスを実行することはさらに、
基地局へランダム・アクセス・プリアンブルを送信することと、
アップリンク許可を備えるランダム・アクセス応答を前記基地局から受信することと、
前記アップリンク許可にしたがって、スケジュールされた送信を、前記基地局へ送ることと
を備える、請求項１に記載の方法。
【請求項７】
干渉除去されたリソースで、検出可能なセルから、基準信号を受信することと、
前記検出可能なセルのための基準信号測定値を取得することと
をさらに備える、請求項１に記載の方法。
【請求項８】
前記ランダム・アクセスを実行することはさらに、
前記基準信号測定値を第１のセルへ送信することと、
前記基準信号測定値に基づいて選択された第２のセルを特定するメッセージを受信することと、
前記第２のセルにアクセスすることと
を備える、請求項７に記載の方法。
【請求項９】
前記第２のセルにアクセスすることはさらに、
前記受信したメッセージから、前記第２のセルのシステム情報を取得することと、
前記システム情報に基づいて、前記第２のセルにアクセスすることと
を備える、請求項８に記載の方法。
【請求項１０】
前記アップリンク・キャリアを決定することはさらに、前記基準信号測定値に基づいて、ランダム・アクセスのためのアップリンク・キャリアおよびセルを選択することを備え、
前記ランダム・アクセスを実行することはさらに、前記選択されたアップリンク・キャリアによって、前記選択されたセルへのランダム・アクセスを実行することを備える、請求項７に記載の方法。
【請求項１１】
前記アップリンク・キャリアおよびセルを選択することはさらに、前記検出可能なセルの負荷情報にさらに基づいて、前記アップリンク・キャリアおよびセルを選択することを備える、請求項１０に記載の方法。
【請求項１２】
前記ランダム・アクセスを実行することはさらに、近隣のセルからの干渉が除去されたアップリンク・リソースで、ランダム・アクセス・プリアンブルを送信することを備える、請求項１に記載の方法。
【請求項１３】
前記ランダム・アクセスが不成功である場合、
前記複数のアップリンク・キャリアから、異なるアップリンク・キャリアを選択することと、
前記異なるアップリンク・キャリアによってランダム・アクセスを実行することと
をさらに備える、請求項１に記載の方法。
【請求項１４】
前記ランダム・アクセスを実行することはさらに、
少なくとも１つのダウンリンク（ＤＬ）キャリアの各々のための物理ランダム・アクセス・チャネル（ＰＲＡＣＨ）パラメータのセットを特定することと、
前記ランダム・アクセスのために使用されるべきアップリンク・キャリアとして、獲得されたダウンリンク・キャリアに対応するアップリンク・キャリアを選択することと、
前記選択されたアップリンク・キャリアでのランダム・アクセスを、対応するＰＲＡＣＨパラメータを用いて実行することと、
ランダム・アクセスを実行するために前記ＵＥによって特定および使用された前記ＰＲＡＣＨパラメータのセットに基づいて、前記ＵＥによって獲得されたダウンリンク・キャリアを特定することを、基地局に可能にさせることと、
前記獲得されたダウンリンク・キャリアで前記ランダム・アクセス応答を受信することと
を備える、請求項１に記載の方法。
【請求項１５】
前記獲得されたＤＬキャリアは、ダウンリンク・アンカ・キャリアである、請求項１４に記載の方法。
【請求項１６】
前記ＰＲＡＣＨパラメータのセットに基づいて、特定のラジオ・フレームと、前記ラジオ・フレーム内のサブフレームと、周波数領域における物理リソース・ブロックとのうちの少なくとも１つを特定することをさらに備える、請求項１４に記載の方法。
【請求項１７】
前記ランダム・アクセスを実行することはさらに、
物理ランダム・アクセス・チャンネル（ＰＲＡＣＨ）パラメータのセットを、少なくとも１つのダウンリンク・キャリアの各々のためのものであると特定することと、
前記少なくとも１つのダウンリンク・キャリアから、ダウンリンク・アンカ・キャリアを決定することと、
前記ランダム・アクセスのために使用されるべきアップリンク・キャリアとして、前記ダウンリンク・アンカ・キャリアに対応するアップリンク・キャリアを選択することと、
前記選択されたアップリンク・キャリアでのランダム・アクセスを、対応するＰＲＡＣＨパラメータを用いて実行することと、
前記特定されたＰＲＡＣＨパラメータのセットに基づいて、前記ダウンリンク・アンカ・キャリアを特定することを、基地局に可能にさせることと、
前記ダウンリンク・アンカ・キャリアで前記ランダム・アクセス応答を受信することと
を備える、請求項１に記載の方法。
【請求項１８】
ダウンリンク・キャリアの各々を特定するための前記１または複数のパラメータは、少なくとも１セットの物理ランダム・アクセス・チャネル（ＰＲＡＣＨ）パラメータまたはダウンリンク・キャリアの特定のオフセットを備える、請求項１に記載の方法。
【請求項１９】
無線通信装置であって、
複数のアップリンク・キャリアから、ユーザ機器（ＵＥ）によってランダム・アクセスのために使用されるべきアップリンク・キャリアを決定し、
前記ＵＥにおいて、１または複数のダウンリンク・キャリアを特定するための１または複数のパラメータを決定し、
前記ＵＥから、前記１または複数のパラメータを利用して、前記決定されたアップリンク・キャリアを介してランダム・アクセス信号を送信し、
前記ＵＥにおいて、前記１または複数のパラメータによって特定可能な前記１または複数のダウンリンク・キャリアのうちの少なくとも１つを介して、ランダム・アクセス応答を受信する
ように構成された少なくとも１つのプロセッサと、
前記少なくとも１つのプロセッサに接続されたメモリと
を備える無線通信装置。
【請求項２０】
複数のダウンリンク・キャリアからダウンリンク・アンカ・キャリアを決定し、
前記ランダム・アクセスのために使用されるべきアップリンク・キャリアとして、前記ダウンリンク・アンカ・キャリアに対応するアップリンク・キャリアを選択する
ように構成された少なくとも１つのプロセッサ
をさらに備える、請求項１９に記載の無線通信装置。
【請求項２１】
前記ＵＥがキャンプするダウンリンク・キャリアを決定し、ここで、前記ＵＥは、前記ダウンリンク・キャリアに同期し、前記ダウンリンク・キャリアにおいてシステム情報のうちの少なくとも一部を受信する、
前記ランダム・アクセスのために使用されるべきアップリンク・キャリアとして、前記ダウンリンク・キャリアに対応するアップリンク・キャリアを選択する
ように構成された少なくとも１つのプロセッサ
をさらに備える、請求項１９に記載の無線通信装置。
【請求項２２】
前記ランダム・アクセスのために使用されるべきアップリンク・キャリアとして、前記ＵＥがランダム・アクセス・パラメータを知っている前記複数のアップリンク・キャリアのうちの１つをランダムに選択するように構成された少なくとも１つのプロセッサ
をさらに備える、請求項１９に記載の無線通信装置。
【請求項２３】
前記ＵＥの帯域幅能力に基づいて、１または複数のアップリンク・キャリアのセットを決定し、
前記ランダム・アクセスのために使用されるべきアップリンク・キャリアとして、前記１または複数のアップリンク・キャリアのセットから、アップリンク・キャリアを選択する
ように構成された少なくとも１つのプロセッサ
をさらに備える、請求項１９に記載の無線通信装置。
【請求項２４】
ランダム・アクセスのためのアップリンク・キャリアを選択する無線通信装置であって、
複数のアップリンク・キャリアから、ユーザ機器（ＵＥ）によってランダム・アクセスのために使用されるべきアップリンク・キャリアを決定する手段と、
前記ＵＥにおいて、１または複数のダウンリンク・キャリアを特定するための１または複数のパラメータを決定する手段と、
前記ＵＥから、前記１または複数のパラメータを利用して、前記決定されたアップリンク・キャリアを介してランダム・アクセス信号を送信する手段と、
前記ＵＥにおいて、前記１または複数のパラメータによって特定可能な前記１または複数のダウンリンク・キャリアのうちの少なくとも１つを介して、ランダム・アクセス応答を受信する手段と
を備える無線通信装置。
【請求項２５】
前記アップリンク・キャリアを決定する手段はさらに、
複数のダウンリンク・キャリアからダウンリンク・アンカ・キャリアを決定する手段と、
前記ランダム・アクセスのために使用されるべきアップリンク・キャリアとして、前記ダウンリンク・アンカ・キャリアに対応するアップリンク・キャリアを選択する手段と
を備える、請求項２４に記載の無線通信装置。
【請求項２６】
前記アップリンク・キャリアを決定する手段はさらに、
前記ＵＥがキャンプするダウンリンク・キャリアを決定する手段と、ここで、前記ＵＥは、前記ダウンリンク・キャリアに同期し、前記ダウンリンク・キャリアにおいてシステム情報のうちの少なくとも一部を受信する、
前記ランダム・アクセスのために使用されるべきアップリンク・キャリアとして、前記ダウンリンク・キャリアに対応するアップリンク・キャリアを選択する手段と
を備える、請求項２４に記載の無線通信装置。
【請求項２７】
前記アップリンク・キャリアを決定する手段はさらに、前記ランダム・アクセスのために使用されるべきアップリンク・キャリアとして、前記ＵＥがランダム・アクセス・パラメータを知っている前記複数のアップリンク・キャリアのうちの１つをランダムに選択することを備える、請求項２４に記載の無線通信装置。
【請求項２８】
前記アップリンク・キャリアを決定する手段はさらに、
前記ＵＥの帯域幅能力に基づいて、１または複数のアップリンク・キャリアのセットを決定する手段と、
前記ランダム・アクセスのために使用されるべきアップリンク・キャリアとして、前記１または複数のアップリンク・キャリアのセットから、アップリンク・キャリアを選択する手段と
備える、請求項２４に記載の無線通信装置。
【請求項２９】
前記ランダム・アクセスを実行する手段はさらに、
基地局へランダム・アクセス・プリアンブルを送信する手段と、
アップリンク許可を備えるランダム・アクセス応答を前記基地局から受信する手段と、
前記アップリンク許可にしたがって、スケジュールされた送信を、前記基地局へ送る手段と
を備える、請求項２４に記載の無線通信装置。
【請求項３０】
検出可能なセルから基準信号を受信する手段と、
前記検出可能なセルのための基準信号測定値を取得する手段と
をさらに備える、請求項２４に記載の無線通信装置。
【請求項３１】
前記検出可能なセルからの基準信号は、干渉除去されたリソースにおけるものである、請求項３０に記載の無線通信装置。
【請求項３２】
前記ランダム・アクセスを実行する手段はさらに、
前記基準信号測定値を第１のセルへ送信する手段と、
前記基準信号測定値に基づいて選択された第２のセルを特定するメッセージを受信する手段と、
前記第２のセルにアクセスする手段と
を備える、請求項３０に記載の無線通信装置。
【請求項３３】
前記第２のセルにアクセスする手段はさらに、
前記受信したメッセージから、前記第２のセルのシステム情報を取得する手段と、
前記システム情報に基づいて、前記第２のセルにアクセスする手段と
を備える、請求項３２に記載の無線通信装置。
【請求項３４】
前記アップリンク・キャリアを決定する手段はさらに、前記基準信号測定値に基づいて、ランダム・アクセスのためのアップリンク・キャリアおよびセルを選択する手段を備え、
前記ランダム・アクセスを実行する手段はさらに、前記選択されたアップリンク・キャリアによって、前記選択されたセルへのランダム・アクセスを実行する手段を備える、請求項３０に記載の無線通信装置。
【請求項３５】
前記アップリンク・キャリアおよびセルを選択する手段はさらに、前記検出可能なセルの負荷情報にさらに基づいて、前記アップリンク・キャリアおよびセルを選択する手段を備える、請求項３４に記載の無線通信装置。
【請求項３６】
前記ランダム・アクセスを実行する手段はさらに、近隣のセルからの干渉が除去されたアップリンク・リソースで、ランダム・アクセス・プリアンブルを送信する手段を備える、請求項２４に記載の無線通信装置。
【請求項３７】
前記ランダム・アクセスが不成功である場合、
前記複数のアップリンク・キャリアから、異なるアップリンク・キャリアを選択する手段と、
前記異なるアップリンク・キャリアによってランダム・アクセスを実行する手段と
をさらに備える、請求項２４に記載の無線通信装置。
【請求項３８】
前記ランダム・アクセスを実行する手段はさらに、
少なくとも１つのダウンリンク（ＤＬ）キャリアの各々のための物理ランダム・アクセス・チャネル（ＰＲＡＣＨ）パラメータのセットを特定する手段と、ここで、前記ＰＲＡＣＨパラメータのセットは、基地局によって定義される、
前記ランダム・アクセスのために使用されるべきアップリンク・キャリアとして、獲得されたダウンリンク・キャリアに対応するアップリンク・キャリアを選択する手段と、
前記選択されたアップリンク・キャリアにおけるランダム・アクセスを、対応するＰＲＡＣＨパラメータを用いて実行する手段と、
ランダム・アクセスを実行するために前記ＵＥによって特定および使用された前記ＰＲＡＣＨパラメータのセットに基づいて、前記ＵＥによって獲得されたダウンリンク・キャリアを特定することを、基地局に可能にさせる手段と、
前記獲得されたダウンリンク・キャリアで前記ランダム・アクセス応答を受信する手段と
を備える、請求項２４に記載の無線通信装置。
【請求項３９】
前記ダウンリンク・キャリアは、アンカ・ダウンリンク・キャリアである、請求項３８に記載の無線通信装置。
【請求項４０】
前記ＰＲＡＣＨパラメータのセットに基づいて、特定のラジオ・フレームと、前記ラジオ・フレーム内のサブフレームと、周波数領域における物理リソース・ブロックとのうちの少なくとも１つを特定する手段をさらに備える、請求項３８に記載の無線通信装置。
【請求項４１】
ダウンリンク・キャリアの各々を特定するための前記１または複数のパラメータは、少なくとも１セットの物理ランダム・アクセス・チャネル（ＰＲＡＣＨ）パラメータまたはダウンリンク・キャリアの特定のオフセットを備える、請求項２４に記載の無線通信装置。
【請求項４２】
コンピュータ・プログラム製品であって、
少なくとも１つのコンピュータに対して、複数のアップリンク・キャリアから、ユーザ機器（ＵＥ）によってランダム・アクセスのために使用されるべきアップリンク・キャリアを決定させるためのコードと、
少なくとも１つのコンピュータに対して、前記ＵＥにおいて、１または複数のダウンリンク・キャリアを特定するための１または複数のパラメータを決定させるためのコードと、
少なくとも１つのコンピュータに対して、前記ＵＥから、前記１または複数のパラメータを利用して、前記決定されたアップリンク・キャリアを介してランダム・アクセス信号を送信させるためのコードと、
少なくとも１つのコンピュータに対して、前記ＵＥにおいて、前記１または複数のパラメータによって特定可能な前記１または複数のダウンリンク・キャリアのうちの少なくとも１つを介して、ランダム・アクセス応答を受信させるためのコードと
を記録したコンピュータ読取可能な記録媒体
を備える、コンピュータ・プログラム製品。
【請求項４３】
無線環境におけるマルチ・キャリアのためのランダム・アクセスを実行することを容易にする無線通信の方法であって、
１または複数のダウンリンク・キャリアを特定するための１または複数のパラメータを決定することと、
前記１または複数のパラメータのうちの少なくとも１つを利用したランダム・アクセス信号を受信することと、
前記利用された少なくとも１または複数のパラメータに基づいて、前記１または複数のダウンリンク・キャリアのうちの少なくとも１つを特定することと、
前記特定された少なくとも１または複数のダウンリンク・キャリアにおいて、ランダム・アクセス応答を送信することと
を備える方法。
【請求項４４】
複数のダウンリンク・キャリアからダウンリンク・キャリアを決定することと、
ランダム・アクセスのために使用されるべきアップリンク・キャリアとして、前記ダウンリンク・キャリアに対応するアップリンク・キャリアを選択することと、
前記ランダム・アクセスを実行するためのアップリンク・キャリアの選択についてＵＥに通知することと
をさらに備える、請求項４３に記載の方法。
【請求項４５】
前記ダウンリンク・キャリアは、アンカ・キャリアである、請求項４４に記載の方法。
【請求項４６】
前記ダウンリンク・キャリアを決定することはさらに、基準信号測定値と、チャネル品質フィードバックと、検出可能なセルの負荷情報とのうちの少なくとも１つに基づいて、ランダム・アクセスのためのダウンリンク・キャリアおよびセルを選択することを備える、請求項４４に記載の方法。
【請求項４７】
ＵＥの帯域幅能力に基づいて、１または複数のアップリンク・キャリアのセットを決定することと、
ランダム・アクセスのために使用されるべきアップリンク・キャリアとして、前記１または複数のアップリンク・キャリアのセットから、アップリンク・キャリアを選択することと、
前記ランダム・アクセスを実行するためのアップリンク・キャリアの選択について前記ＵＥに通知することと
をさらに備える、請求項４３に記載の方法。
【請求項４８】
前記アップリンク・キャリアを選択することはさらに、基準信号測定値と、チャネル品質フィードバックと、検出可能なセルの負荷情報とのうちの少なくとも１つに基づいて、ランダム・アクセスのためのアップリンク・キャリアおよびセルを選択することを備える、請求項４７に記載の方法。
【請求項４９】
前記ランダム・アクセスを実行することはさらに、
基地局においてランダム・アクセス・プリアンブルを受信することと、
ランダム・アクセスのために使用される前記１または複数のダウンリンク・キャリアのセットを決定することと、
前記基地局から、アップリンク許可を備えるランダム・アクセス応答を、前記決定された１または複数のダウンリンク・キャリアのセットで、送信することと、
前記基地局において、前記アップリンク許可に従って、スケジュールされた送信を受信することと
を備える、請求項４３に記載の方法。
【請求項５０】
ＵＥによって獲得されたダウンリンク・キャリアを、ランダム・アクセスを実行するために定義され前記ＵＥによって使用されたＰＲＡＣＨパラメータのセットに基づいて、特定することと、
前記特定されたダウンリンク・キャリアで前記ランダム・アクセス応答を送信することと
をさらに備える、請求項４９に記載の方法。
【請求項５１】
前記ランダム・アクセスを実行することはさらに、近隣のセルからの干渉が除去されたアップリンク・リソースで、ランダム・アクセス・プリアンブルを受信することを備える、請求項４３に記載の方法。
【請求項５２】
前記ランダム・アクセスが不成功である場合、
前記複数のアップリンク・キャリアから、異なるアップリンク・キャリアを選択することと、
前記ランダム・アクセスを実行するためのアップリンク・キャリアの選択についてＵＥに通知することと、
前記異なるアップリンク・キャリアに基づいてランダム・アクセスを実行することと
をさらに備える、請求項４３に記載の方法。
【請求項５３】
少なくとも１つの検出可能なセルに対する干渉のあるリソースをクリアにすることをさらに備え、前記リソースは、ランダム・アクセスのために必要とされる、請求項４３に記載の方法。
【請求項５４】
ダウンリンク・キャリアの各々を特定するための前記１または複数のパラメータは、少なくとも１セットの物理ランダム・アクセス・チャネル（ＰＲＡＣＨ）パラメータまたはダウンリンク・キャリアの特定のオフセットを備える、請求項４３に記載の方法。
【請求項５５】
無線環境におけるマルチ・キャリアのためのランダム・アクセスを実行することを容易にする無線通信の方法であって、
少なくとも１つのダウンリンク（ＤＬ）キャリアの各々のための物理ランダム・アクセス・チャネル（ＰＲＡＣＨ）パラメータのセットを定義すること
を備える方法。
【請求項５６】
前記パラメータのセットは、少なくとも、特定のラジオ・フレームと、前記ラジオ・フレーム内のサブフレームと、周波数領域における物理リソース・ブロックとを含む、請求項５５に記載の方法。
【請求項５７】
ＵＥによって獲得されたダウンリンク・キャリアを、ランダム・アクセスを実行するために定義され前記ＵＥによって使用された前記ＰＲＡＣＨパラメータのセットに基づいて、特定することと、
前記特定されたダウンリンク・キャリアでランダム・アクセス応答を送信することと
をさらに備える、請求項５５に記載の方法。
【請求項５８】
前記少なくとも１つのダウンリンク・キャリアからダウンリンク・キャリアを決定することと、
ランダム・アクセスのために使用されるべきアップリンク・キャリアとして、前記ダウンリンク・キャリアに対応するアップリンク・キャリアを選択することと、
前記ランダム・アクセスを実行するためのアップリンク・キャリアの選択についてＵＥに通知することと
をさらに備える、請求項５５に記載の方法。
【請求項５９】
前記ダウンリンク・キャリアを決定することはさらに、基準信号測定値と、チャネル品質フィードバックと、検出可能なセルの負荷情報とのうちの少なくとも１つに基づいて、ランダム・アクセスのためのダウンリンク・キャリアおよびセルを選択することを備える、請求項５５に記載の方法。
【請求項６０】
無線通信装置であって、
１または複数のダウンリンク・キャリアを特定するための１または複数のパラメータを決定し、
前記１または複数のパラメータのうちの少なくとも１つを利用したランダム・アクセス信号を受信し、
前記利用された少なくとも１または複数のパラメータに基づいて、前記１または複数のダウンリンク・キャリアのうちの少なくとも１つを特定し、
前記特定された少なくとも１または複数のダウンリンク・キャリアで、ランダム・アクセス応答を送信する
ように構成された少なくとも１つのプロセッサと、
前記少なくとも１つのプロセッサに接続されたメモリと
を備える無線通信装置。
【請求項６１】
無線通信装置であって、
少なくとも１つのダウンリンク（ＤＬ）キャリアの各々のための物理ランダム・アクセス・チャネル（ＰＲＡＣＨ）パラメータのセットを定義する
ように構成された少なくとも１つのプロセッサ
を備える、無線通信装置。
【請求項６２】
ＵＥによって獲得されたダウンリンク・キャリアを、ランダム・アクセスを実行するために定義され前記ＵＥによって使用された前記ＰＲＡＣＨパラメータのセットに基づいて、特定し、
前記特定されたダウンリンク・キャリアでランダム・アクセス応答を送信する
ように構成された少なくとも１つのプロセッサ
をさらに備える、請求項６１に記載の無線通信装置。
【請求項６３】
前記少なくとも１つのダウンリンク・キャリアからダウンリンク・キャリアを決定し、
ランダム・アクセスのために使用されるべきアップリンク・キャリアとして、前記ダウンリンク・キャリアに対応するアップリンク・キャリアを選択し、
前記ランダム・アクセスを実行するためのアップリンク・キャリアの選択についてＵＥに通知する
ように構成された少なくとも１つのプロセッサ
をさらに備える、請求項６１に記載の無線通信装置。
【請求項６４】
無線環境におけるマルチ・キャリアのためのランダム・アクセスを実行する無線通信装置であって、
１または複数のダウンリンク・キャリアを特定するための１または複数のパラメータを決定する手段と、
前記１または複数のパラメータのうちの少なくとも１つを利用したランダム・アクセス信号を受信する手段と、
前記利用された少なくとも１または複数のパラメータに基づいて、前記１または複数のダウンリンク・キャリアのうちの少なくとも１つを特定する手段と、
前記特定された少なくとも１または複数のダウンリンク・キャリアで、ランダム・アクセス応答を送信する手段と
を備える、無線通信装置。
【請求項６５】
ダウンリンク・キャリアの各々を特定するための前記１または複数のパラメータは、少なくとも１セットの物理ランダム・アクセス・チャネル（ＰＲＡＣＨ）パラメータまたはダウンリンク・キャリアの特定のオフセットを備える、請求項６４に記載の無線通信装置。
【請求項６６】
無線環境におけるマルチ・キャリアのためのランダム・アクセスを実行する無線通信装置であって、
少なくとも１つのダウンリンク（ＤＬ）キャリアの各々のための物理ランダム・アクセス・チャネル（ＰＲＡＣＨ）パラメータのセットを定義する手段
を備える、無線通信装置。
【請求項６７】
ＵＥによって獲得されたダウンリンク・キャリアを、ランダム・アクセスを実行するために定義され前記ＵＥによって使用された前記ＰＲＡＣＨパラメータのセットに基づいて、特定する手段と、
前記特定されたダウンリンク・キャリアで前記ランダム・アクセス応答を送信する手段と
をさらに備える、請求項６６に記載の無線通信装置。
【請求項６８】
前記少なくとも１つのダウンリンク・キャリアからダウンリンク・キャリアを決定する手段と、
ランダム・アクセスのために使用されるべきアップリンク・キャリアとして、前記ダウンリンク・キャリアに対応するアップリンク・キャリアを選択する手段と、
前記ランダム・アクセスを実行するためのアップリンク・キャリアの選択についてＵＥに通知する手段と
をさらに備える、請求項６６に記載の無線通信装置。
【請求項６９】
コンピュータ・プログラム製品であって、
少なくとも１つのコンピュータに対して、１または複数のダウンリンク・キャリアを特定するための１または複数のパラメータを決定させるためのコードと、
少なくとも１つのコンピュータに対して、前記１または複数のパラメータのうちの少なくとも１つを利用したランダム・アクセス信号を受信させるためのコードと、
少なくとも１つのコンピュータに対して、前記利用された少なくとも１または複数のパラメータに基づいて、前記１または複数のダウンリンク・キャリアのうちの少なくとも１つを特定させるためのコードと、
少なくとも１つのコンピュータに対して、前記特定された少なくとも１または複数のダウンリンク・キャリアで、ランダム・アクセス応答を送信させるためのコードと
を記録したコンピュータ読取可能な記録媒体
を備える、コンピュータ・プログラム製品。
【請求項７０】
コンピュータ・プログラム製品であって、
少なくとも１つのコンピュータに対して、少なくとも１つのダウンリンク（ＤＬ）キャリアの各々のための物理ランダム・アクセス・チャネル（ＰＲＡＣＨ）パラメータのセットを定義させるためのコード
を記録したコンピュータ読取可能な記録媒体
を備える、コンピュータ・プログラム製品。
【請求項７１】
少なくとも１つのコンピュータに対して、ＵＥによって獲得されたダウンリンク・キャリアを、ランダム・アクセスを実行するために定義され前記ＵＥによって使用された前記ＰＲＡＣＨパラメータのセットに基づいて、特定させるためのコードと、
少なくとも１つのコンピュータに対して、前記特定されたダウンリンク・キャリアでランダム・アクセス応答を送信させるためのコードと
を記録したコンピュータ読取可能な記録媒体
をさらに備える、請求項７０に記載のコンピュータ・プログラム製品。
【請求項７２】
少なくとも１つのコンピュータに対して、前記少なくとも１つのダウンリンク・キャリアからダウンリンク・キャリアを決定させるためのコードと、
少なくとも１つのコンピュータに対して、ランダム・アクセスのために使用されるべきアップリンク・キャリアとして、前記ダウンリンク・キャリアに対応するアップリンク・キャリアを選択させるためのコードと、
少なくとも１つのコンピュータに対して、前記ランダム・アクセスを実行するためのアップリンク・キャリアの選択についてＵＥに通知させるためのコードと
を記録したコンピュータ読取可能な記録媒体
をさらに備える、請求項７０に記載のコンピュータ・プログラム製品。
【請求項７３】
ダウンリンク・キャリアをとのオフセットを利用することを容易にする方法であって、
物理ランダム・アクセス・チャネル（ＰＲＡＣＨ）が向けられているダウンリンク・キャリアに対応する１または複数の時間オフセットを定義することと、
アップリンクによってメッセージを通信する場合、前記１または複数の時間オフセットを適用することと、
受信された時間オフセットに基づいて、前記ダウンリンク・キャリアを特定することと
を備える方法。
【請求項７４】
前記１または複数の時間オフセットは、同じＰＲＡＣＨパラメータを共有する異なるダウンリンク・キャリアについて異なる、請求項７３に記載の方法。
【請求項７５】
前記ダウンリンク・キャリアに対応する１または複数の時間オフセットをブロードキャストすることをさらに備える、請求項７３に記載の方法。
【請求項７６】
前記１または複数の時間オフセットをメモリ内に保持することをさらに備える、請求項７３に記載の方法。
【請求項７７】
前記１または複数の時間オフセットは、予め定義されるか、動的に決定されるか、メモリに保持されるかのうちの少なくとも１つである、請求項７３に記載の方法。
【発明の詳細な説明】
【関連出願に対する相互参照】
【０００１】
本願は、２００８年９月１２日に出願された“ＲＡＮＤＯＭ  ＡＣＣＥＳＳ  ＩＮ  Ａ  ＭＵＬＴＩ−ＣＡＲＲＩＥＲ  ＣＯＭＭＵＮＩＣＡＴＩＯＮ  ＳＹＳＴＥＭ”と題された米国仮出願６１／０９６，６０２号、および２００９年５月４日に出願された“ＰＨＹＳＩＣＡＬ  ＲＡＮＤＯＭ  ＡＣＣＥＳＳ  ＣＨＡＮＮＥＬ（ＰＲＡＣＨ）ＴＲＡＮＳＭＩＳＳＩＯＮ  ＩＮ  ＭＵＬＴＩＣＡＲＲＩＥＲ  ＯＰＥＲＡＴＩＯＮ”と題された米国仮出願６１／１７５，３９８号の利益を主張する。上記出願の全体は、参照によって本明細書に組み込まれている。
【技術分野】
【０００２】
以下の記述は、一般に無線通信に関し、さらに詳しくは、マルチ・キャリアを有する環境における物理ランダム・アクセス・チャンネル（ＰＲＡＣＨ）送信に関する。
【背景技術】
【０００３】
無線通信システムはさまざまなタイプの通信を提供するために広く開発され、例えば、音声および／またはデータが、そのような無線通信システムによって提供されうる。一般的な無線通信システムすなわちネットワークは、複数のユーザへ、１または複数の共有リソース（例えば、帯域幅、送信電力）に対するアクセスを提供しうる。例えば、システムは、周波数分割多重化（ＦＤＭ）、時分割多重化（ＴＤＭ）、符号分割多重化（ＣＤＭ）、直交周波数分割多重化（ＯＦＤＭ）のような様々な多元接続技術を使用することができる。
【０００４】
通常、無線多元接続通信システムは、複数のモバイル・デバイスのための通信を同時にサポートすることができる。おのおののモバイル・デバイスは、順方向リンクおよび逆方向リンクによる送信を介して、１または複数の基地局と通信することができる。順方向リンク（すなわち、ダウンリンク）は、基地局からモバイル・デバイスへの通信リンクを称し、逆方向リンク（すなわち、アップリンク）は、モバイル・デバイスから基地局への通信リンクを称する。
【０００５】
無線通信システムはしばしば、有効範囲領域を提供する１または複数の基地局を使用する。一般的な基地局は、ブロードキャスト・サービス、マルチキャスト・サービス、および／またはユニキャスト・サービスのために複数のデータ・ストリームを送信することができる。これらデータ・ストリームは、モバイル・デバイスに対して興味のある独立した受信からなるデータのストリームでありうる。そのような基地局の有効範囲領域内のモバイル・デバイスは、合成ストリームによって搬送された１つ、複数、あるいはすべてのデータ・ストリームを受信するために使用されうる。同様に、モバイル・デバイスは、基地局あるいは別のモバイルのデバイスへデータを送信しうる。
【０００６】
マルチ・キャリア無線通信環境内では、このようなヘテロジニアスなネットワーク内に多くのアップリンク・キャリアおよび／またはダウンリンク・キャリアが存在する。アクセス手順は、ユーザ機器（ＵＥ）が、Ｃ−ＲＮＴＩを取得し、アップリンク（ＵＬ）同期を確立し、物理チャネル設定を受信し、および／または、ＲＲＣ接続モードのための情報を取得することを含む。さらに、物理ランダム・アクセス・チャンネル（ＰＲＡＣＨ）プロセスは、ＵＥがアップリンク・キャリアを使って基地局へのＰＲＡＣＨメッセージを開始することを含む。基地局は、ダウンリンク・キャリアを使って応答する。しかしながら、マルチ・キャリア環境では、複数のダウンリンク・キャリアが、１つのアップリンク・キャリアに関連付けられうる。
【発明の概要】
【０００７】
以下は、１または複数の実施形態の基本的な理解を与えるために、そのような実施形態の簡略化された概要を示す。この概要は、考えられるすべての実施形態の広範囲な概観ではなく、すべての実施形態の重要要素や決定的要素を特定することも、何れかまたはすべての実施形態のスコープを線引きすることも意図されていない。その唯一の目的は、後に示されるより詳細な記載に対する前置きとして、簡略化された形式で１または複数の実施形態のいくつかの概念を表すことである。
【０００８】
関連する態様は、ランダム・アクセスのためのアップリンク・キャリアを選択することを容易にする方法。この方法は、複数のアップリンク・キャリアから、ランダム・アクセスのためにユーザ機器（ＵＥ）によって使用されるべきアップリンク・キャリアを決定することを含みうる。さらに、この方法は、決定されたアップリンク・キャリアによってランダム・アクセスを実行することを含みうる。
【０００９】
別の態様は、無線通信装置に関する。この無線通信装置は、複数のアップリンク・キャリアから、ランダム・アクセスのためにユーザ機器（ＵＥ）によって使用されるべきアップリンク・キャリアを決定し、決定されたアップリンク・キャリアによってランダム・アクセスを実行するように構成された少なくとも１つのプロセッサを含みうる。さらに、この無線通信装置は、少なくとも１つのプロセッサに接続されたメモリを含みうる。
【００１０】
また別の態様は、ランダム・アクセスのためのアップリンク・キャリアを選択する無線通信装置に関する。この無線通信装置は、複数のアップリンク・キャリアから、ランダム・アクセスのためにＵＥによって使用されるべきアップリンク・キャリアを決定する手段を含みうる。さらに、この無線通信装置は、決定されたアップリンク・キャリアによってランダム・アクセスを実行する手段を備えうる。
【００１１】
また別の態様は、少なくとも１つのコンピュータに対して、複数のアップリンク・キャリアから、ランダム・アクセスのためにＵＥによって使用されるべきアップリンク・キャリアを決定させ、決定されたアップリンク・キャリアによってランダム・アクセスを実行させるための格納されたコードを有するコンピュータ読取可能媒体を備えるコンピュータ・プログラム製品に関する。
【００１２】
他の態様は、無線環境におけるマルチ・キャリアのためのランダム・アクセスを実行することを容易にする方法。この方法は、ＵＥのためのランダム・アクセスに関連するランダム・アクセス・プリアンブルを、アップリンク・キャリアによって受信することを備えうる。ここで、アップリンク・キャリアは、複数のアップリンク・キャリアから決定されうる。さらに、この方法は、決定されたランダム・キャリアに基づいてランダム・アクセスを実行することを備えうる。
【００１３】
他の態様は、無線環境におけるマルチ・キャリアのためのランダム・アクセスを実行することを容易にする方法。この方法は、少なくとも１つのダウンリンク（ＤＬ）キャリアのおのおのについて、物理ランダム・アクセス・チャネル（ＰＲＡＣＨ）パラメータのセットを定義することを備えうる。
【００１４】
別の態様は、無線通信装置に関する。この無線通信装置は、ＵＥのためのランダム・アクセスに関連するランダム・アクセス・プリアンブルを、複数のアップリンク・キャリアから決定されたアップリンク・キャリアによって受信し、決定されたアップリンク・キャリアに基づいてランダム・アクセスを実行するように構成された少なくとも１つのプロセッサを含みうる。さらに、この無線通信装置は、少なくとも１つのプロセッサに接続されたメモリを含みうる。
【００１５】
別の態様は、無線通信装置に関する。この無線通信装置は、少なくとも１つのダウンリンク（ＤＬ）キャリアのおのおのについて、物理ランダム・アクセス・チャネル（ＰＲＡＣＨ）パラメータのセットを定義するように構成された少なくとも１つのプロセッサを含みうる。さらに、この無線通信装置は、少なくとも１つのプロセッサに接続されたメモリを含みうる。
【００１６】
他の態様は、無線環境におけるマルチ・キャリアのためのランダム・アクセスを実行する無線通信装置に関する。この無線通信装置は、ＵＥのためのランダム・アクセスに関連するランダム・アクセス・プリアンブルをアップリンク・キャリアによって受信する手段を備えうる。ここで、アップリンク・キャリアは、複数のアップリンク・キャリアから決定される。さらに、この無線通信装置は、決定されたアップリンク・キャリアに基づいて、ランダム・アクセスを実行する手段を備えうる。
【００１７】
他の態様は、無線環境において、マルチ・キャリアのためのランダム・アクセスを実行する無線通信装置に関する。この無線通信装置は、少なくとも１つのＤＬキャリアのおのおのについて、物理ランダム・アクセス・チャネル（ＰＲＡＣＨ）パラメータのセットを定義する手段を備えうる。
【００１８】
また別の態様は、少なくとも１つのコンピュータに対して、ＵＥのためのランダム・アクセスに関連するランダム・アクセス・プリアンブルを、複数のアップリンク・キャリアから決定されたアップリンク・キャリアによって受信させ、決定されたアップリンク・キャリアによってランダム・アクセスを実行させるための、格納されたコードを有するコンピュータ読取可能媒体を備えるコンピュータ・プログラム製品に関する。
【００１９】
さらに別の態様は、少なくとも１つのコンピュータに対して、少なくとも１つのＤＬキャリアのおのおのについて、物理ランダム・アクセス・チャネル（ＰＲＡＣＨ）パラメータのセットを定義させるための、格納されたコードを有するコンピュータ読取可能媒体を備えるコンピュータ・プログラム製品に関する。
【００２０】
別の態様は、ダウンリンク・キャリアを特定することを容易にする方法。この方法は、物理ランダム・アクセス・チャネル（ＰＲＡＣＨ）が向けられているＤＬキャリアに対応する１または複数の時間オフセットを定義することを備えうる。この方法はさらに、アップリンクによってメッセージを通信する場合、１または複数の時間オフセットを適用することを備えうる。この方法はさらに、受信された時間オフセットに基づいて、ＤＬキャリアを特定することを備えうる。
【００２１】
前述した目的および関連する目的を達成するために、１または複数の実施形態は、後に十分に記載され、特許請求の範囲において特に指摘されている特徴を備える。次の記載および添付図面は、１または複数の実施形態のある実例となる態様を詳細に記載する。しかしながら、これらの態様は、さまざまな実施形態の原理が適用されるさまざまな方法のうちの僅かしか示しておらず、記載された実施形態は、そのようなすべての局面およびそれらの均等物を示すことが意図されている。
【図面の簡単な説明】
【００２２】
【図１】図１は、本明細書に記載されたさまざまな態様にしたがう無線通信システムの実例である。
【図２】図２は、無線通信環境において適用される通信装置の例示である。
【図３】図３は、ランダム・アクセスのためのアップリンク・キャリアを、複数のアップリンク・キャリアから選択することを容易にする無線通信システムの実例である。
【図４】図４は、マルチ・キャリアを有する無線通信システムにおけるランダム・アクセス設計の実例である。
【図５】図５は、マルチ・キャリアを有する無線通信システムにおけるランダム・アクセス設計の実例である。
【図６】図６は、マルチ・キャリアを有する無線通信システムにおけるランダム・アクセス設計の実例である。
【図７】図７は、複数のキャリアを有する環境において実行されるランダム・アクセスの実例である。
【図８】図８は、権利主張される主題にしたがうランダム・アクセスに関連するリソース・クリアの実例である。
【図９】図９は、パイロットまたはＬＲＰ信号に基づいてランダム・アクセス中にユーザ設備をリダイレクトしうるシステムの実例である。
【図１０】図１０は、ランダム・アクセスのためのアップリンク・キャリアを選択することを容易にする方法の実例である。
【図１１】図１１は、無線環境におけるマルチ・キャリアについてランダム・アクセスを実行することを容易にする方法の実例である。
【図１２】図１２は、無線通信システムにおける各キャリアのために識別情報（ＩＤ）を割り当てることを容易にするモバイル・デバイスの実例である。
【図１３】図１３は、無線通信環境において割り当てられた識別情報（ＩＤ）に基づいて、各キャリアのための制御情報を伝送することを容易にするシステムの実例である。
【図１４】図１４は、本明細書に記載されたさまざまなシステムおよび方法と共に適用されうる無線ネットワーク環境の実例である。
【図１５】図１５は、ランダム・アクセスのために適用されるべきアップリンク・キャリアを特定することを容易にするシステムの実例である。
【図１６】図１６は、無線環境におけるマルチ・キャリアのためのランダム・アクセスを実行するシステムの実例である。
【発明を実施するための形態】
【００２３】
さまざまな実施形態が、全体を通じて同一要素を示すために同一の参照番号が使用される図面を参照して説明される。次の記述では、説明の目的のために、多数の特定の詳細が、１または複数の実施形態についての完全な理解を提供するために記述される。しかしながら、そのような実施形態は、これら具体的な詳細なしで実現されうることが明白でありうる。他の事例では、１または複数の実施形態の記載を容易にするために、周知の構成およびデバイスがブロック図形式で示される。
【００２４】
本願で使用されるような用語「モジュール」、「キャリア」、「システム」等は、ハードウェア、ファームウェア、ハードウェアとソフトウェアとの組み合わせ、ソフトウェア、または実行中のソフトウェアの何れかであるコンピュータ関連エンティティを称することが意図される。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１つのコンピュータに局在化されるか、および／または、複数のコンピュータに分散されうる。さらに、これらの構成要素は、さまざまなデータ構造を格納したさまざまなコンピュータ読取可能媒体から実行可能である。これら構成要素は、（例えば、信号によってローカル・システムや分散システム内の他の構成要素とインタラクトする１つの構成要素からのデータ、および／または、他のシステムを備えた例えばインターネットのようなネットワークを経由して他の構成要素とインタラクトする１つの構成要素からのデータのような）１または複数のデータのパケットを有する信号にしたがって、ローカル処理および／またはリモート処理によって通信することができる。
【００２５】
本明細書に記述された技術は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル・キャリア周波数分割多元接続（ＳＣ−ＦＤＭＡ）システム、およびその他のシステムのようなさまざまな無線通信システムに使用することができる。「システム」、「ネットワーク」という用語はしばしば置換可能に使用される。ＣＤＭＡシステムは、例えばユニバーサル地上ラジオ・アクセス（ＵＴＲＡ）、ＣＤＭＡ２０００等のようなラジオ技術を実現することができる。ＵＴＲＡは、広帯域ＣＤＭＡ（Ｗ−ＣＤＭＡ）およびＣＤＭＡのその他の変形を含んでいる。ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、Ｅ−ＵＴＲＡを使用するＵＭＴＳの最新リリースであり、ダウンリンクではＯＦＤＭＡを用い、アップリンクではＳＣ−ＦＤＭＡを用いる。
【００２６】
シングル・キャリア周波数分割多元接続（ＳＣ−ＦＤＭＡ）は、シングル・キャリア変調および周波数領域等値化を用いる。ＳＣ−ＦＤＭＡは、ＯＦＤＭＡシステムと類似の性能を有し、本質的に全体的に同等の複雑さを有する。ＳＣ−ＦＤＭＡ信号は、その固有のシングル・キャリア構造により、より低いピーク対平均電力比（ＰＡＰＲ）を有する。ＳＣ−ＦＤＭＡは、例えば、より低いＰＡＰＲが送信電力効率の観点からアクセス端末に非常に役立つアップリンク通信で使用されうる。したがって、ＳＣ−ＦＤＭＡは、３ＧＰＰロング・ターム・イボリューション（ＬＴＥ）すなわちイボルブドＵＴＲＡにおけるアップリンク多元接続性スキームとして実施されうる。
【００２７】
さらに、本明細書では、さまざまな実施形態が、モバイル・デバイスに関連して記載される。モバイル・デバイスはまた、システム、加入者ユニット、加入者局、モバイル局、モバイル、遠隔局、遠隔端末、アクセス端末、ユーザ端末、端末、無線通信デバイス、ユーザ・エージェント、ユーザ・デバイス、あるいはユーザ機器（ＵＥ）とも称されうる。モバイル・デバイスは、セルラ電話、コードレス電話、セッション初期化プロトコル（ＳＩＰ）電話、無線ローカル・ループ（ＷＬＬ）局、携帯情報端末（ＰＤＡ）、無線接続機能を有する携帯型デバイス、コンピュータ・デバイス、あるいは無線モデムに接続されたその他の処理デバイスでありうる。さらに、本明細書では、さまざまな実施形態が、基地局に関連して記載される。基地局はモバイル・デバイスと通信するために利用することができ、アクセス・ポイント、ノードＢあるいはその他の用語で称されうる。
【００２８】
さらに、本明細書に記載のさまざまな態様または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、または媒体からアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストリップ等）、光ディスク（例えば、コンパクト・ディスク（ＣＤ）、ＤＶＤ等）、スマート・カード、およびフラッシュ・メモリ・デバイス（例えば、ＥＰＲＯＭ、カード、スティック、キー・ドライブ等）を含みうる。さらに、本明細書に記載されたさまざまな記憶媒体は、情報を格納するための１または複数のデバイス、および／または、その他の機械読取可能媒体を表すことができる。用語「機械読取可能媒体」は、限定されることなく、無線チャネル、および、命令群および／またはデータを格納、包含、および／または搬送することができるその他任意の媒体を含みうる。
【００２９】
図１に示すように、本明細書に記載されたさまざまな実施形態にしたがった無線通信システム１００が例示されている。システム１００は、複数のアンテナ・グループを含むことができる基地局１０２を含む。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。おのおののアンテナ・グループについて２本のアンテナしか例示されていないが、２本より多いアンテナ、または２本より少ないアンテナも、各グループのために利用されうる。基地局１０２はさらに、送信機チェーンおよび受信機チェーンを含みうる。それらおのおのは、当業者によって理解されるように、信号の送信および受信に関連する複数の構成要素（例えば、プロセッサ、変調器、マルチプレクサ、復調器、デマルチプレクサ、アンテナなど）を備えうる。
【００３０】
基地局１０２は、例えばモバイル・デバイス１１６およびモバイル・デバイス１２２のような１または複数のモバイル・デバイスと通信しうる。しかしながら、基地局１０２は、モバイル・デバイス１１６およびモバイル・デバイス１２２に類似した実質的に任意の数のモバイル・デバイスと通信しうることが理解されるべきである。モバイル・デバイス１１６、１２２は例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信システム１００を介して通信するのに適切なその他任意のデバイスでありうる。図示するように、モバイル・デバイス１１６は、アンテナ１１２およびアンテナ１１４と通信している。ここで、アンテナ１１２およびアンテナ１１４は、順方向リンク１１８によってアクセス端末１１６へ情報を送信し、逆方向リンク１２０によってアクセス端末１１６から情報を受信する。さらに、モバイル・デバイス１２２はアンテナ１０４およびアンテナ１０６と通信している。ここで、アンテナ１０４およびアンテナ１０６は、順方向リンク１２４でアクセス端末１２２へ情報を送信し、逆方向リンク１２６でアクセス端末１２２から情報を受信する。周波数分割デュプレクス（ＦＤＤ）システムでは、例えば、順方向リンク１１８は、逆方向リンク１２０によって使用されるものとは異なる周波数帯域を使用し、順方向リンク１２４は、逆方向リンク１２６によって使用されるものとは異なる周波数帯域を使用することができる。さらに、時分割デュプレクス（ＴＤＤ）システムでは、順方向リンク１１８および逆方向リンク１２０は、共通の周波数帯域を使用し、順方向リンク１２４および逆方向リンク１２６は、共通の周波数帯域を使用することができる。
【００３１】
通信するように指定された領域および／またはアンテナのおのおののグループは、基地局１０２のセクタと称されうる。例えば、基地局１０２によってカバーされる領域のセクタ内のアクセス端末に通信するように、複数のアンテナが設計されうる。順方向リンク１１８および順方向リンク１２４による通信では、基地局１０２の送信アンテナは、アクセス端末１１６およびアクセス端末１２２のための順方向リンク１１８および順方向リンク１２４の信号対雑音比を改善するためにビームフォーミングを適用することができる。また、基地局１０２が、関連付けられた有効通信範囲にランダムに散在したモバイル・デバイス１１６、１２２に送信するためにビームフォーミングを利用している間、近隣セル内のモバイル・デバイスは、すべてのモバイル・デバイスに対して単一のアンテナによって送信している基地局に比べて、少ない干渉しか被らない。
【００３２】
基地局１０２（および／または基地局１０２のおのおののセクタ）は、１または複数の多元接続技術（例えば、ＣＤＭＡ、ＴＤＭＡ、ＦＤＭＡ、ＯＦＤＭＡ）を使用しうる。例えば、基地局１０２は、対応する帯域幅においてモバイル・デバイス（例えば、モバイル・デバイス１１６、１２２）と通信するために特定の技術を利用しうる。さらに、基地局１０２によって、１より多くの技術が適用される場合、おのおのの技術は、それぞれの帯域幅に関連付けられうる。本明細書に記載された技術は下記を含みうる。グローバル・システム・フォー・モバイル（ＧＳＭ（登録商標））、汎用パケット・ラジオ・サービス（ＧＰＲＳ）、エンハンスト・データ・レート・フォーＧＳＭイボリューション（ＥＤＧＥ）、ユニバーサル・モバイル・テレコミュニケーション・システム（ＵＭＴＳ）、広帯域符号分割多元接続（Ｗ−ＣＤＭＡ）、ｃｄｍａＯｎｅ（ＩＳ−９５）、ＣＤＭＡ２０００、イボリューション−データ・オプティマイズド（ＥＶ−ＤＯ）、ウルトラ・モバイル・ブロードバンド（ＵＭＢ）、ワールドワイド・インタオペラビリティ・フォー・マイクロウェーブ・アクセス（ＷｉＭＡＸ）、ＭｅｄｉａＦＬＯ、デジタル・マルチメディア・ブロードキャスティング（ＤＭＢ）、デジタル・ビデオ・ブロードキャスティング−ハンドヘルド（ＤＶＢ−Ｈ）等。前述した技術のリストは、例として与えられたものであって、権利主張される主題はそれに限定されないことが認識されるべきであり、実質的に任意の無線通信技術が、特許請求の範囲内にあることが意図されることが認識されるべきである。
【００３３】
基地局１０２は、第１の技術を用いて第１の帯域幅を利用しうる。さらに、基地局１０２は、第１の技術に対応するパイロットを、第２の帯域幅で送信しうる。例示によれば、第２の帯域幅は、基地局１０２、および／または、通信のために任意の第２の技術を利用する別の基地局（図示せず）によって導入されうる。さらに、パイロットは、第１の技術の存在を（例えば、第２の技術によって通信しているモバイル・デバイスへ）示しうる。例えば、パイロットは、第１の技術の存在に関する情報を伝送するビットを使用しうる。さらに、例えば、第１の技術を利用するセクタのセクタＩＤ、第１の周波数帯域幅を示すキャリア・インデクス等のような情報がパイロットに含まれうる。
【００３４】
別の例によれば、パイロットは、ビーコン（および／またはビーコンのシーケンス）でありうる。ビーコンは、ＯＦＤＭシンボルでありうる。ここでは、電力の大部分が、１つのサブキャリアまたは少数のサブキャリア（例えば、少ない数のサブキャリア）で送信される。したがって、ビーコンは、モバイル・デバイスによって観察されうる強いピークをもたらすが、同時に、帯域幅の狭い部分において、データと干渉する（例えば、帯域幅の残りの部分は、ビーコンによって影響されない）。この例によれば、第１のセクタは、第１の帯域幅で、ＣＤＭＡによって通信し、第２のセクタは、第２の帯域幅で、ＯＦＤＭによって通信しうる。したがって、第１のセクタは、第２の帯域幅においてＯＦＤＭビーコン（またはＯＦＤＭビーコンのシーケンス）を（例えば、第２の帯域幅においてＯＦＤＭを利用して動作しているモバイル・デバイスへ）送信することによって、第１の帯域幅におけるＣＤＭＡの利用可能性を示しうる。
【００３５】
主題とするシステムおよび／または方法によって、ＵＥは、マルチ・キャリアを含む無線環境においてランダム・アクセスを実行できるようになる。特に、基地局とのランダム・アクセスを実行するために、アップリンク・キャリアがランダムに選択されうる。それに加えて、ＵＥは、複数のマルチ・キャリアで定義されたアンカ・キャリアとペアをなすアップリンク・キャリアでランダム・アクセスを実行しうる。さらに、主題とするイノベーションによって、ＵＥは、（例えば基準信号のような）パイロット信号をアグリゲートしうる。ここで、基地局またはセルは、このようなパイロット信号に基づいて、ユーザ機器をリダイレクトしうる。さらに、ダウンリンク・キャリアを特定するために、ランダム・アクセス・プリアンブルに時間オフセットが適用されうる。それに加えて、ランダム・アクセスのために使用されるアップリンク・キャリアに対応するダウンリンク・キャリアをＵＥが決定できるようにするために、特定のダウンリンク・キャリアについて、物理ランダム・アクセス・チャネル（ＰＲＡＣＨ）パラメータのセットが定義されうる。
【００３６】
図２に移って、無線通信環境内で適用される通信装置２００が例示される。通信装置２００は、基地局またはその一部であるか、モバイル・デバイスまたはその一部であるか、無線通信環境で送信されたデータを受信する実質的に任意の通信装置でありうる。通信システムでは、通信装置２００は、マルチ・キャリア無線環境内のアップリンク・キャリアでランダム・アクセスを実行するために、以下に記載されるような構成要素を適用する。
【００３７】
通信装置２００は、ランダム・アクセスを実行するアップリンク・キャリアを決定しうる選択モジュール２０２を含みうる。選択モジュール２０２は、アンカ・キャリア、および対応するペアをなすアップリンク・キャリア（例えば、特定されたアンカ・キャリアに関連付けられたアップリンク・キャリア）を特定しうる。さらに、選択モジュール２０２は、マルチ・キャリア無線環境内の複数のアップリンク・キャリアから、アップリンク・キャリアを選択しうる。
【００３８】
この通信装置２００はさらに、（例えば、特定されたアンカ・キャリアのような）特定のキャリアで、別のセルから、検出可能な低再使用プリアンブル（ＬＲＰ）またはパイロット信号（例えば基準信号）を測定しうる。通信されたそのようなパイロット信号あるいはＬＲＰに基づいて、通信装置２００は、異なるセルへリダイレクトされうる。
【００３９】
通信装置２００はさらに、マルチ・キャリア無線環境内のおのおののダウンリンク・キャリアのために、ランダム・アクセス・チャネル（ＲＡＣＨ）パラメータのセットを定義しうる定義モジュール２０６を含みうる。定義されたＲＡＣＨパラメータのセットに基づいて、ダウンリンク・キャリアが特定されうる。例えば、ランダム・アクセスのために利用されるアップリンク・キャリアは、ダウンリンク・キャリアとペアをなしうる。ここで、ＲＡＣＨパラメータのセットは、ダウンリンク・キャリアを特定しうる。
【００４０】
さらに、図示されていないが、通信装置２００は、複数のアップリンク・キャリアから、ランダム・アクセスのためにＵＥによって使用されるべきアップリンク・キャリアを決定することと、決定されたアップリンク・キャリアによってランダム・アクセスを実行すること等に関連する命令群を保持するメモリを含みうることが認識されるべきである。さらに、通信装置２００は、（例えば、メモリ内に保持された命令群、別のソースから取得された命令群のような）命令群を実行することに関連して利用されるプロセッサを含みうる。
【００４１】
さらに、図示されていないが、通信装置２００は、ＵＥのためのランダム・アクセスに関連するランダム・アクセス・プリアンブルを、複数のアップリンク・キャリアから決定されうるアップリンク・キャリアによって受信することと、決定されたランダム・キャリアによってランダム・アクセスを実行すること等に関連する命令群を保持するメモリを含みうる。さらに、通信装置２００は、（例えば、メモリ内に保持された命令群、別のソースから取得された命令群のような）命令群を実行することに関連して利用されるプロセッサを含みうる。
【００４２】
図３を参照して、ユーザ機器のために、複数のキャリアに関連する制御情報の識別情報を提供しうる無線通信装置３００が例示される。このシステム３００は、ユーザ機器３０４（および／または、（図示しない）任意の数の他のユーザ機器）と通信する基地局３０２を含む。さらに、システム３００は、ＭＩＭＯシステムでありうる。さらに、システム３００は、ＯＦＤＭＡ無線ネットワーク、３ＧＰＰ  ＬＴＥ無線ネットワーク等において動作しうる。さらに、基地局３０２内において図示および以下に説明される構成要素および機能は、一例において、逆に、ユーザ機器３０４内にも存在することができるが、そして、図示する構成は、説明を簡単にするために、これら構成要素を除外している。基地局３０２（例えば、発展型ノードＢ、ｅノードＢ、ｅＮＢ）は、情報、信号、データ、命令群、コマンド、ビット、シンボル等を送信および／または受信しうる。用語ｅＮＢはまた、基地局、アクセス・ポイント、ノードＢ、またはその他いくつかの専門用語でも称されうることが認識されるべきである。基地局３０２は、順方向リンク（ダウンリンク）および／または逆方向リンク（アップリンク）によってＵＥ３０４と通信しうる。ＵＥ３０４は、情報、信号、データ、命令群、コマンド、ビット、シンボル等を送信および／または受信しうる。さらに、図示されていないが、システム３００は、基地局３０２に類似した任意の数の別の基地局（単数または複数）、および／または、ＵＥ３０４に類似した任意の数のＵＥ（単数または複数）を含みうる。例示によれば、システム３００は、ロング・ターム・イボリューション・アドバンスト（ＬＴＥ−Ａ）ベースのシステムでありうる。しかしながら、権利主張された主題は、それには限定されない。
【００４３】
基地局３０２は、ランダム・アクセスのために使用される、アップリンク・キャリアとペアをなすダウンリンク・キャリアを特定するために、キャリアに関連付けられたダウンリンク・キャリアを評価しうるダウンリンク特定モジュール３０６を含む。特に、ダウンリンク特定モジュール３０６は、特定のダウンリンク・キャリアに関連して定義されうるＲＡＣＨパラメータのセットを評価しうる。したがって、ユーザ機器３０４は、選択されたアップリンク・キャリアでランダム・アクセスを実行し、基地局３０２は、定義されたＲＡＣＨパラメータに基づいて、対応するダウンリンク・キャリアを決定しうる。ダウンリンク・キャリアを特定するために時間オフセットが利用されうることが認識されるべきである。基地局３０２はさらに、干渉を除去しうる干渉クリア・モジュール３０８を含みうる。言い換えれば、干渉クリア・モジュール３０８は、アクセスのために利用されるリソースが、干渉除去されていることを保証しうる。
【００４４】
ユーザ機器３０４は、基地局３０２とのランダム・アクセスを実行するためのアップリンク・キャリアを選択しうる選択モジュール３１０を含みうる。選択モジュール３１０は、ランダム・アクセスを実行するために、アンカ・キャリアおよび対応するアップリンク・キャリアを特定しうる。他の事例では、選択モジュール３１０は、ＰＲＡＣＨをサポートするマルチ・キャリア・グループから、アップリンク・キャリアをランダムに選択しうる。
【００４５】
ユーザ機器３０４はさらに、ランダム・アクセスを実行しうるランダム・アクセス（ＲＡ）モジュール３１２を含みうる。例えば、ランダム・アクセス・モジュール３１２は、ユーザ機器３０４が、ランダム・アクセス・プリアンブルを通信し、基地局３０２からランダム・アクセス応答を受信し、基地局３０２とスケジュールされた送信を通信し、基地局３０２から競合解決策を受信できるようにする。
【００４６】
ユーザ機器３０４はさらに、検出可能なセルからのパイロット信号（例えば、基準信号）および／または低再使用プリアンブル（ＬＲＰ）をアグリゲートおよび／または収集しうるパイロット・モジュール３１４を含みうる。パイロット・モジュール３１４は、これら測定値を、基地局３０２へ通信しうる。ここで、基地局は、ユーザ機器３０４を別のセルへリダイレクトするべきかを判定しうる。
【００４７】
ユーザ機器３０４はまた、マルチ・キャリア・システム内のおのおのダウンリンク・キャリアが、ＲＡＣＨパラメータの特定のセットに対応することを保証する定義モジュール３１６を含みうる。したがって、検出されたＲＡＣＨパラメータのセットが検出され、基地局３０２においてダウンリンク・キャリアが特定される。
【００４８】
システム３００は、ＬＴＥ−Ａに関連するランダム・アクセスのために、マルチ・キャリア動作をサポートしうる。例えば、システム３００では、複数のＤＬキャリアが、１つのアップリンク（ＵＬ）キャリアに関連付けられうる。対照的に、ＬＴＥリリース８に関連付けられている従来のアプローチの場合、各ＰＲＡＣＨ（例えば、各ＵＬキャリア）は、１つのＤＬキャリアに関連付けられうる。
【００４９】
例によれば、競合ベースのＰＲＡＣＨの場合、ＵＥ３０４は、特定のＵＬキャリアを利用するアップリンクでランダム・アクセス信号（例えば、メッセージ１、ランダム・アクセス・プリアンブル、ランダム・アクセス・プローブ、ランダム・アクセス・シーケンス）を送信することによって、ＰＲＡＣＨを開始しうる。基地局３０２は、メッセージ１の受信に対して、ダウンリンクで送信されるランダム・アクセス応答（例えばメッセージ２）をもって応答しうる。しかしながら、ＬＴＥ−Ａマルチ・キャリア動作に関連する１つのＵＬキャリアに、複数のＤＬキャリアが関連付けられうるので、従来のアプローチは、メッセージ１のために利用される１つのＵＬキャリアに関連付けられているすべてのＤＬキャリアを用いて、基地局３０２からメッセージ２を送信することを含みうる。なぜなら、基地局３０２は、メッセージ２のために向けられたＵＥを知らないからである。先の例により、結果的に、ダウンリンク・リソースが非効率的に利用されうる。
【００５０】
対照的に、システム３００は、ＬＴＥ−Ａマルチ・キャリア動作に関連する効率を高める。ＵＥ３０４は、アップリンクによってメッセージ１を送信する場合に利用されるべき可能な時間オフセットのセットから、特定の時間オフセットを特定しうる。さらに、ＵＥ３０４は、この選択された特定の時間オフセットを用いて、アップリンクによってランダム・アクセス・メッセージ（例えば、メッセージ１）を送信しうる。
【００５１】
基地局３０２は、ＵＥ３０４から受信されたメッセージ１に関連付けられた特定の時間オフセットを認識しうる。さらに、基地局３０２は、メッセージ１の特定の時間オフセットに対応する可能なＤＬキャリアのセットからＤＬキャリア（例えば、ＤＬキャリア１）を特定しうる。その後、基地局３０２は、特定された可能なＤＬキャリアのセットからのＤＬキャリア（例えば、ＤＬキャリア１）を利用して、ダウンリンクによってメッセージ２を送信しうる。別の例によれば、可能なＤＬキャリアのサブセットは、基地局３０２によって認識されたオフセットに対応しうる。さらに、基地局３０２は、このようなＤＬキャリアのサブセットを用いて、メッセージ２を送信しうる。
【００５２】
システム３００で利用される各ＤＬキャリアは、特定の時間オフセットに関連付けられうる。一般に、ＰＲＡＣＨは、送信機会のために、周期性およびオフセットを用いて高次レイヤによって設定されうる。ＬＴＥリリース８では、ＰＲＡＣＨは、ラジオ・フレームのうちの任意のサブフレーム（例えば、周期＝１ミリ秒）で送信するように設定されうる。別の例によれば、ＰＲＡＣＨは、２ミリ秒の周期で設定されうる。したがって、ＰＲＡＣＨ送信は、（例えば、１０ミリ秒の周期を持つラジオ・フレームを仮定すると）サブフレーム０、２、４、６、８で生じうる。
【００５３】
システム３００は、ランダム・アクセスを行う前に、基地局３０２とＵＥ３０４との両方によって知られうる、ＤＬキャリアに特有のオフセットを適用しうる。例えば、ＤＬキャリア特有のオフセットはおのおの、所与の１つのＤＬキャリアに対応しうる。しかし、権利主張される主題は、それに限定されないことが認識されるべきである。例えば、ＤＬキャリア特有のオフセットは、（例えば、基地局３０２によって、システム情報とともに）ブロードキャストされうる。別の例示によれば、ＤＬキャリア特有のオフセットは、予め定義されるか、動的に決定される等なされうる。さらなる例によれば、ＤＬキャリア特有のオフセットが、（例えば、基地局３０２および／またはＵＥ３０４の）メモリ内に保持されうる。
【００５４】
ＰＲＡＣＨが向けられている異なるＤＬキャリアを区別するために、ＵＥ３０４は、アップリンクによってメッセージ１を送信する場合に利用されるべきＤＬキャリア特有のオフセットを選択しうる。例えば、ＰＲＡＣＨは、１ミリ秒の周期で設定されうる。この例によれば、２つの可能なＤＬキャリアが存在する場合、可能なＤＬキャリアのうちの１つ（例えば、ＤＬキャリア１）は、偶数のサブフレームに対応するように定義され、可能なＤＬキャリアのうちの他（例えば、ＤＬキャリア２）は、奇数のサブフレームに対応するように定義されうる。しかしながら、権利主張される主題は、ＤＬキャリアとオフセットとの間の先の関係に限定されていないことが認識されるべきである。例えば、分割は直交している必要はないことが考慮される。
【００５５】
したがって、５つのＤＬキャリアが存在すると考えられたい。ＰＲＡＣＨ機会のうちの１／５番目に関連付けられた５つのＤＬキャリアのおのおのを有するのではなく、ＰＲＡＣＨ機会のうちの２／５番目が、各ＤＬキャリアのために適用されうる（例えば、オフセットは、複数のＤＬキャリアに対応しうる）。したがって、１ミリ秒の周期を持つ各ＤＬキャリアは、１０ミリ秒の周期を持つ４つのオフセットに関連付けられうる。これは、ＤＬオーバヘッドとＰＲＡＣＨ遅れとのトレードオフを達成しうる。
【００５６】
さらに、図示されていないが、複数のアップリンク・キャリアから、ランダム・アクセスのためにＵＥによって使用されるべきアップリンク・キャリアを決定することと、決定されたアップリンク・キャリアによってランダム・アクセスを実行すること、等に関連する命令群を保持するメモリを含みうることが認識されるべきである。さらに、通信装置２００は、（例えば、メモリ内に保持された命令群、別のソースから取得された命令群のような）命令群を実行することに関連して利用されるプロセッサを含みうる。
【００５７】
それに加えて、図示されていないが、ＵＥのためのランダム・アクセスに関連するランダム・アクセス・プリアンブルを、複数のアップリンク・キャリアから決定されたアップリンク・キャリアによって受信することと、決定されたランダム・キャリアによってランダム・アクセスを実行すること、等に関連する命令群を保持するメモリを含みうることが認識されるべきである。さらに、通信装置２００は、（例えば、メモリ内に保持された命令群、別のソースから取得された命令群のような）命令群を実行することに関連して利用されるプロセッサを含みうる。
【００５８】
図４に示すように、無線通信システム４００の例は、キャリアおのおののために識別情報（ＩＤ）を割り当てることを提供する。図４は、マルチ・キャリア動作のために適用可能なランダム・アクセス４００の設計を図示する。この設計では、各ダウンリンク・キャリアは、対応するアップリンク・キャリアとペアをなされる。ランダム・アクセスのためにＵＥによって選択されたセルは、セルのためのダウンリンク・アンカ・キャリアとペアをなされたアップリンク・アンカ・キャリアを有する。アップリンク・アンカ・キャリアは、システムにアクセスできる非常に多くのＵＥに適応するために、複数の物理ランダム・アクセス・チャネル（ＰＲＡＣＨ）をサポートすることができる。これは、マルチ・セグメント動作において特に重要である。ＵＥは、アップリンク・アンカ・キャリアでサポートされているＰＲＡＣＨのうちの１においてランダム・アクセスを実行する。ＵＥが、特定のダウンリンク・キャリアにキャンプしている場合、ＵＥは、ペアをなすアップリンク・キャリアでランダム・アクセスを実行する。ＵＥが同期され、ＵＥがシステム情報の一部を受信するダウンリンク・キャリアに、ＵＥがキャンプすることが認識されるべきである。
【００５９】
図５は、マルチ・キャリア動作に適用可能なランダム・アクセスの別の設計５００を図示する。この設計では、ＵＥは、ＰＲＡＣＨをサポートするアップリンク・キャリアのグループから、アップリンク・キャリアをランダムに選択することができる。ＵＥが、セル上の特定のダウンリンク・キャリア上にキャンプしている場合、ＵＥは、未だにこのセルの任意のアップリンク・キャリアでランダム・アクセスを実行しうる。ＵＥが同期され、ＵＥがシステム情報の一部を受信するダウンリンク・キャリアに、ＵＥがキャンプすることが認識されるべきである。ＵＥは、選択されたアップリンク・キャリアでサポートされてるＰＲＡＣＨでランダム・アクセスを実行することができる。ＵＥは、ランダム・アクセスのために使用されるアップリンク・キャリアとペアをなすダウンリンク・キャリアでのランダム・アクセス応答を期待する。
【００６０】
図６は、マルチ・セグメント動作に適用可能なランダム・アクセスの設計６００を示す。この例において、セルは、ダウンリンク・キャリア１およびアップリンク・キャリア１を割り当てられる。このセルは、アップリンク・キャリアの別の部分で、３つのＰＲＡＣＨ１、２および３をサポートする。ＵＥ１は、帯域幅全体のうちの一部のみを「見る」ことができ、ＰＲＡＣＨ２のみでランダム・アクセスを実行することができる。ＵＥ２およびＵＥ３は、より大きな帯域幅能力を有し、３つのＰＲＡＣＨのうちの何れかでランダム・アクセスを実行することができる。
【００６１】
多元接続スキーム（例えば図４および図５で示されるスキーム）がサポートされている場合、システム情報は、ランダム・アクセスのためにどのスキームが使用されるのかを示すフラグを含む。選択されたセルについて、複数のアップリンク・キャリアが利用可能である場合、ＵＥはまず、１つのアップリンク・キャリアでのランダム・アクセスを試み、最初の試みが不成功であれば、その後、同じセルについて別のアップリンク・キャリアでランダム・アクセスを試みる。
【００６２】
図７は、３ＧＰＰリリース８との下位互換性のあるランダム・アクセス手順の設計７００を示す。ＵＥは、ＰＲＡＣＨで、シグネチャ・シーケンスを備えるランダム・アクセス・プリアンブルを送信する（ステップ１）。ＵＥは、ダウンリンク共有チャネル（ＤＬ−ＳＣＨ）でランダム・アクセス応答を受信する（ステップ２）。ランダム・アクセス応答は、タイミング・アラインメント情報、初期アップリンク許可、テンポラリＣ−ＲＮＴＩの割当等を備えうる。ＵＥは、アップリンク共有チャネル（ＵＬ−ＳＣＨ）で、第１のスケジュールされたアップリンク送信を送る（ステップ３）。ＵＥが最初のアクセスを実行すると、第１のアップリンク送信は、確立目的を持つＲＲＣ接続要求、ＳＡＥテンポラリ移動局識別子（Ｓ−ＴＭＳＩ）、またはランダムＩＤ等を備えることができる。複数のＵＥが、同時に、同じＰＲＡＣＨで、同じランダム・アクセス・プリアンブルをセルへ送信する場合、競合解決のための情報が、ＤＬ−ＳＣＨで送信されうる（ステップ４）。ＲＲＣ接続セットアップおよび物理レイヤ（ＰＨＹ）チャネル設定もまた実行される。ステップ１乃至４で送信されたメッセージは、それぞれ、メッセージ１乃至４とも称される。
【００６３】
ダウンリンクにおける最良のセルである選択されたセルにＵＥが同期される場合、このセルは、近隣のセルからの干渉が除去されているキャリア・リソースで。または、除去されていないキャリア・リソースで、メッセージ２およびメッセージ４を送信する。しかしながら、最良のダウンリンクのセルは、異なるタイプのセル（例えば、マクロ・セルおよびピコ・セル）の送信電力レベルにおける起こりうる矛盾によって、ＵＥのための最良のアップリンクを持たないことがありうる。したがって、干渉は、このセルへのメッセージ３の信頼できる送信を保証するために、選択されたセルのアップリンク・リソースにおいて静的に除去されうる。
【００６４】
ＵＥは、最良の経路損失（ＰＬ）を持たない選択されたセルへのランダム・アクセスを実行し、このセルへアクセス／送信している他のセルへ顕著な干渉をもたらしうる。したがって、リソースをクリアし、それらを使用しないために、顕著な干渉を経験するであろうセルにとって有益でありうる。
【００６５】
ＵＥは、干渉が除去されたリソースでメッセージ３（最初にスケジュールされたアップリンク送信）を送信しうる。なぜなら、このメッセージは、（例えば、ＵＥが最良の経路損失を持つセルのような）他のセルにおいて、アップリンク・データと干渉するからである。しかしながら、セルが同じＰＲＡＣＨ設定を有する場合、ＵＥは、干渉除去無しでＰＲＡＣＨでメッセージ１（ランダム・アクセス・プリアンブル）を送信することができる。ＰＲＡＣＨ設定は、メッセージ１を送信するために使用される、アクセス・リソースと称される特定のリソースに関連付けられうる。近隣のセルのために同じＰＲＡＣＨ設定が使用される場合、ＰＲＡＣＨのための大きな処理ゲインおよび使用されているＰＲＡＣＨの可能性が小さいことにより、干渉除去は、メッセージ１のために必要とされない。マクロ・セルの有効通信範囲内のピコ・セルが、同じＰＲＡＣＨ設定を有することは有益である（例えば、ＰＲＡＣＨが設定され、もしもＭＡＣレイヤによってトリガされた場合、ランダム・アクセス・プリアンブルの送信が、ある時間リソースおよび周波数リソースに限定される）。
【００６６】
ＰＲＡＣＨのためのアクセス・リソースをクリアすることは望ましい。クリアされたアクセス・リソースは稀にしか存在せず、規則的に設定されたアクセス・リソースよりも周期性は低い。異なるセルのうちの異なる時間オフセットおよび／または異なる非オーバラップＰＲＡＣＨ設定は、アクセス・リソースの衝突を回避し、クリアを可能にする。
【００６７】
図８は、ランダム・アクセスのためのリソース・クリアの設計８００を示す。図８に示される例において、ＰＲＡＣＨ設定Ａは、サブフレーム４、７等に、近隣のセルからの干渉が除去されていないアクセス・リソースを含んでいる。ＰＲＡＣＨ設定Ｂは、サブフレーム５、８等に、近隣のセルからの干渉が除去されていないアクセス・リソースを含んでいる。サブフレーム１および２は、近隣のセルからの干渉が除去された、クリアされたアクセス・リソースを含みうる。クリアされた、および／または、クリアされていないアクセス・リソースは、システム情報によってＵＥへ伝送されるか、あるいは、別の方式によって提供されうる。
【００６８】
ＵＥの観点から、最良ではないダウリンク・セルであるセルにアクセスするための手順は、最良のダウンリンク・セルにアクセスするための手順と同じでありうる。システムは、アクセスに使用されたリソースが、干渉除去されていることを保証する。選択されたセルが、最良の経路喪失を持つセルである場合、メッセージ２およびメッセージ４が、干渉除去されたリソースで送信されうる。さらに、ＣＳＧを持つセルもまた、同じアップリンク・キャリアを用いるのであれば、メッセージ１およびメッセージ３のアクセス・リソースが、クリアされたアクセス・リソースで送信されうる。
【００６９】
アクセス・リソースの動的なクリアを可能にするために、アクセス・リソースをクリアするために、ＵＥは、ＵＥがアクセスすることができないＣＳＧセルと通信することができる。ＵＥは、ＣＳＧセルの有効通信範囲内にあり、このセルに対する支配的な干渉体であるかもしれないが、ＣＳＧによって、セルにアクセスすることができないかもしれない。しかしながら、リソースをクリアして、ＵＥが別のセルにアクセスできるようにするために、ＵＥはＣＳＧセルと通信することができる。
【００７０】
図７に示すような、３ＧＰＰリリース８との下位互換性を持つランダム・アクセス手順を使用することは、いくつかの理由により望ましい。第１に、ランダム・アクセス手順を変更する必要がない。第２に、静的にクリアされたアクセス・リソースは小さい。マルチ・キャリア設定の場合、少なくとも１つのキャリアは、リリース８と互換性を持ち、ランダム・アクセス手順が容易にサポートされる。
【００７１】
図９は、下位互換性および負荷平準化／範囲拡張のためのリダイレクションをサポートするランダム・アクセス手順の設計を例示する。ＵＥは、初期アクセスを、電源投入時に、あるいは、ＲＲＣアイドル・モードにおいてキャンプ・セルに対して実行することを望む。ＵＥは、最良のダウンリンク・セルに同期し、この最良のダウンリンク・セルを選択している（あるいは、最良のダウンリンク・セルにキャンプしている）。ＵＥのキャンプは、ＵＥが同期され、ＵＥがシステム情報の一部を受信するダウンリンク・キャリアにキャンプするＵＥに関連しており、ことが認識されるべきである。ＵＥがランダム・アクセスを実行する準備ができると、ＵＥは、例えば各セルのためのアンカ・キャリアのような１つのキャリアで、異なるセルから検出可能な低再使用プリアンブル（ＬＲＰ）を測定する。ＬＲＰは、干渉除去されたリソースで送信された基準信号またはパイロットであり、ダウンリンク・チャネルおよび経路喪失を推定するためにＵＥによって使用される。
【００７２】
ＵＥは、選択されたセルへと、ランダム・アクセス・プリアンブルを送信し（ステップ１）、ランダム・アクセス応答を受信する（ステップ２）。ＵＥは、検出可能なセルのＬＲＰ測定値をメッセージ３でレポートする（ステップ３）。
【００７３】
セル測定値およびＬＲＰ測定値の負荷に基づいて、ＵＥは、新たなセルへとリダイレクトされうる。その後、選択されたセルは、リダイレクション・メッセージをＵＥへ送信する（ステップ４）。このリダイレクション・メッセージは、新たなセルを特定し、また、このセルのシステム情報をも含んでいる。これは、新たなセルからシステム情報を送信するために使用されるダウンリンク・リソースにおける干渉を静的にクリアする必要性を回避することができる。メッセージ３およびメッセージ４の内容は、負荷平準化／範囲拡張のためのリダイレクションをサポートするために修正されうる。
【００７４】
ＵＥは、ＲＲＣ接続モードで、サービス提供セルと通信し、負荷平準化／範囲拡張を目的として、新たなセルにアクセスするためにリダイレクトされうる。サービス提供セルは、ＵＥに対して、特定のキャリアで新たなセルへアクセスするように指示するために、再設定メッセージを送信しうる。リダイレクトの決定、および／または、特定のキャリアは、セル負荷や、ＵＥからレポートされたＬＲＰ測定値に基づきうる。再設定メッセージは、新たなセルにアクセスするために使用されるシステム情報を含みうる。これによって、ＵＥは、新たなセルからシステム情報を読み取ることをスキップできるようになる。新たなセルは、システム情報をＵＥへ送信するために、干渉除去されたリソースを提供する必要が無いであろう。
【００７５】
別の態様では、ランダム・アクセス手順は、３ＧＰＰリリース８との下位互換性が無いと定義されうる。ＵＥは、ＲＲＣアイドル・モード、または、ＲＲＣ接続モードで動作することができる。ＵＥは、動作モードに依存して、異なる方式でランダム・アクセスを実行することができる。
【００７６】
ＲＲＣアイドル・モードでは、ＵＥは、ＵＥによってなされた決定にしたがって、セルにアクセスする自由度を持っている（例えば、ＵＥベースの移動）。ＵＥがセルにアクセスする準備ができている場合（例えば、ＵＥが、送信するデータを持っている場合）、ＵＥは、ＬＲＰ測定値およびセル負荷に基づいてセルおよびキャリアを選択することができる。ＵＥは、候補セルに同期し、候補セルからシステム情報を取得することができる。範囲拡張セルの場合、同期およびシステム情報のために使用されるリソースは、例えば、静的なリソース・クリアを用いて、干渉除去されうる。ＵＥは、他のセルのＬＲＰをモニタすることができる。ＵＥは、スペクトルにおいてキャリアがかなり接近していると仮定して、おのおののセルにつき１つのキャリア（例えば、アンカ・キャリア）でＬＲＰをモニタしうる。各セルは、例えば、ＵＥの数およびリソース分配のような負荷を通知しうる。この負荷情報は、おのおののキャリアのために提供され、干渉除去されたリソースでブロードキャストされうる。この負荷情報は、セルのアンカ・キャリアで送信されるか、あるいは、各キャリアで独立して送信されうる。ＵＥは、負荷情報がどのように送信されるかに依存して、アンカ・キャリアのみにおいて、あるいは、各キャリアにおいて、負荷情報をモニタする。
【００７７】
ＵＥは、指定されたアルゴリズムに基づいて、アクセスのためのキャリアおよびセルを選択しうる。１つの設計では、ＵＥは、各セルおよび各キャリアが独立して取り扱われるアルゴリズムに基づいて決定を行うことができる。別の設計では、各セルのすべてのキャリアがともに取り扱われ、セルのためのメトリックが得られる。ＵＥは、異なる候補セルを、これらメトリックに基づいて比較し、セルおよびキャリアを選択する。両設計について、ＵＥは、選択されたセルおよびキャリアへのランダム・アクセスを実行する。
【００７８】
ＲＲＣ接続モードでは、特定のキャリアにおける別のセルへのランダム・アクセスを実行するための決定が、（ネットワーク・ベースの移動の場合）ネットワークによって、または（ＵＥベースの移動の場合）ＵＥによってなされうる。ＵＥベースの移動のためのランダム・アクセス手順は、以下の通りでありうる。ＵＥが、候補セルに同期し、候補セルからシステム情報を取得する。範囲拡張セルの場合、同期およびシステム情報のために使用されるリソースは、例えば、静的なリソース・クリアを用いて、干渉除去されうる。ＵＥは、あるしきい値を超えるすべてのセルについてのＬＲＰ測定値をモニタしレポートする。ＵＥは、スペクトルにおいてキャリアがかなり接近していると仮定して、おのおののセルにつき１つのキャリア（例えば、アンカ・キャリア）でＬＲＰをモニタしうる。ＵＥは、現在のサービス提供セルに対してのみレポートを送信する。サービス提供セルは、バックホールを介して、これらレポートを、他のセルと共有する。セル間およびキャリア間のリソースの分配は、このＵＥのみならず、他のＵＥからのＬＲＰに基づいて実行されうる。このリソース分配は、指定されたアルゴリズムに基づき、バックホール調整されたセルのセット間で実行される。
【００７９】
各セルは、リソース分配や、ＵＥ数等を伝送する負荷情報を送信することができる。この負荷情報は、各キャリアについて提供され、干渉除去されたリソースで、ブロードキャスト・メッセージあるいはユニキャスト・メッセージによって送信されうる。この負荷情報は、セルのアンカ・キャリアで送信されるか、あるいは、各キャリアで独立して送信されうる。ＵＥは、負荷情報がどのように送信されるかに依存して、アンカ・キャリアのみにおいて、あるいは、各キャリアにおいて、負荷情報をモニタする。ＵＥは、指定されたアルゴリズムに基づいて、アクセスのためのキャリアおよびセルを選択しうる。その後、ＵＥは、選択されたセルおよびキャリアへのランダム・アクセスを実行しうる。
【００８０】
ネットワーク・ベースの移動のためのランダム・アクセス手順は以下の通りである。ＵＥは、別のセルのＬＲＰ測定値を定期的にモニタして、レポートする。ＵＥは、スペクトルにおいてキャリアがかなり接近していると仮定して、おのおののセルにつき１つのキャリア（例えば、アンカ・キャリア）についてのＬＲＰ測定値をレポートしうる。ＵＥは、サービス提供セルに対してのみレポートを送信する。サービス提供セルは、バックホールを介して、これらレポートを、他のセルと共有する。セル間およびキャリア間のリソース分配は、ＵＥからのＬＰＲレポートのみならず、他のＵＥからのＬＲＰレポートに基づいて実行されうる。セルおよびキャリアは、指定されたアルゴリズムに基づいて、および、バックホールを介したセルのセット間の調整によって、ＵＥのために選択されうる。サービス提供セルは、選択されたセルおよびキャリアを含む再設定メッセージをＵＥへ送信する。ＵＥは、その後、選択されたセルおよびキャリアへのランダム・アクセスを実行しうる。
【００８１】
図１０および図１１を参照して、マルチ・キャリア環境内でランダム・アクセスを適用することに関連する方法が例示される。説明を単純にする目的で、これら方法は、一連の動作として示され説明されているが、これら方法は、１または複数の実施形態にしたがって、幾つかの動作が本明細書で示され記載されたものとは異なる順序で、あるいは他の動作と同時に生じうるので、動作の順序によって限定されないことが理解され認識されるべきである。例えば、当業者であれば、これら方法はその代わりに、例えば状態図におけるように、一連の相互関連する状態またはイベントとして表されうることを理解し認識するだろう。さらに、１または複数の実施形態にしたがって方法を実現するために、必ずしも例示されたすべての動作が必要とされる訳ではない。
【００８２】
図１０に移って、クロス・キャリア動作に関連する制御情報を識別することを容易にする方法１０００が例示されている。参照番号１００２では、複数のアップリンク・キャリアからのランダム・アクセスのためにＵＥによって使用されるべきアップリンク・キャリアが決定されうる。参照番号１００４では、決定されたアップリンク・キャリアによってランダム・アクセスが実行されうる。
【００８３】
図１１を参照して、クロス・キャリア動作のため、複数のキャリアの制御情報をＵＥへ通信することを容易にする方法１１００。参照番号１１０２では、ＵＥのためのランダム・アクセスに関連するランダム・アクセス・プリアンブルが、アップリンク・キャリアによって受信される。ここで、アップリンク・キャリアは、複数のアップリンク・キャリアから決定される。参照番号１１０４では、決定されたアップリンク・キャリアによって、ランダム・アクセスが実行されうる。
【００８４】
図１２は、無線通信システムにおける各キャリアのために識別情報（ＩＤ）を割り当てることを容易にするモバイル・デバイス１２００の例示である。モバイル・デバイス１２００は、例えば（図示しない）受信アンテナから信号を受信し、受信した信号について一般的な動作（例えば、フィルタ、増幅、ダウンコンバート等）を実行し、これら調整された信号をデジタル化してサンプルを得る受信機１２０２を備えうる。受信機１２０２は、受信したシンボルを復調し、それらをチャネル推定のためにプロセッサ１２０６へ提供する復調器１２０４を備えうる。プロセッサ１２０６は、受信機１２０２によって受信された情報を分析すること、および／または、送信機１２１６による送信のための情報を生成することに特化されたプロセッサ、モバイル・デバイス１２００の１または複数の構成要素を制御するプロセッサ、および／または、受信機１２０２によって受信された情報を分析することと、送信機１２１６による送信のための情報を生成することと、モバイル・デバイス１２００のうちの１または複数の構成要素を制御することとをすべて行うプロセッサでありうる。
【００８５】
モバイル・デバイス１２００は、プロセッサ１２０６に動作可能に接続されたメモリ１２０８をさらに備える。このメモリは、送信されるべきデータ、受信したデータ、利用可能なチャネルに関連する情報、分析された信号および／または干渉強度に関連付けられたデータ、割り当てられたチャネル、電力、レート等に関連する情報、および、チャネルの推定およびチャネルを介した通信のために適切なその他任意の情報を格納しうる。メモリ１２０８はさらに、（例えば、パフォーマンス・ベース、キャパシティ・ベース等での）チャネルの推定および／または利用に関連付けられたアルゴリズムおよび／またはプロトコルを格納しうる。
【００８６】
本明細書に記載されたデータ・ストア（例えば、メモリ１２０８）は、揮発性メモリであるか、あるいは不揮発性メモリである。あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ）のような多くの形態で利用可能である。主題となるシステムおよび方法のメモリ１２０８は、限定される訳ではないが、これらおよびその他任意の適切なタイプのメモリを備えることが意図される。
【００８７】
プロセッサ１２０６はさらに、選択モジュール１２１０および／またはパイロット・モジュール１２１２に動作可能に接続されうる。選択モジュール１２１０は、モバイル・デバイス１２００がランダム・アクセスを実行するアップリンク・キャリアを決定しうる。選択モジュール１２１０は、アップリンク・キャリアをランダムに選択するか、および／または、アンカ・キャリアおよび対応する（例えば、ペアをなす）アップリンク・キャリアを特定しうる。パイロット・モジュール１２１２は、基地局からのリダイレクションを強化するために、検出可能なセルから、パイロット信号および／またはＬＲＰを収集しうる。さらに、図示されていないが、ランダム・アクセスのために利用されるアップリンク・キャリアに関連するダウンリンク・キャリアを基地局が特定できるようにするために、モバイル・デバイス１２００は、各ダウンリンク・キャリアのＲＡＣＨパラメータのセットを定義しうる。
【００８８】
モバイル・デバイス１２００はさらに、信号を変調する変調器１２１４と、この信号を例えば基地局、別のモバイル・デバイス等へ送信する送信機１２１６とを備える。プロセッサ６０６と別に示されているが、選択モジュール１２１０、パイロット・モジュール１２１２、復調器１２０４、および／または、変調器１２１４は、プロセッサ１２０６または複数のプロセッサ（図示せず）の一部でありうることが認識されるべきである。
【００８９】
図１３は、前述したように、無線通信環境において、割り当てられた識別情報（ＩＤ）に基づいて、各キャリアのための制御情報を伝送することを容易にするシステム１３００の例示である。システム１３００は、複数の受信アンテナ１３０６によって１または複数のモバイル・デバイス１３０４から信号を受信する受信機１３１０と、送信アンテナ１３０８によって１または複数のモバイル・デバイス１３０４へ送信する送信機１３２４とを有する基地局１３０２（例えば、アクセス・ポイント）を備える。受信機１３１０は、受信アンテナ１３０６から情報を受信する。さらに、受信した情報を復調する復調器１３１２と動作可能に関連付けられている。復調されたシンボルは、  信号（例えば、パイロット）強度および／または干渉強度、モバイル・デバイス１３０４（または、（図示しない）別の基地局）との間で送受信されうるデータ、および／または、本明細書に記載されたさまざまな動作および機能を実行することに関連するその他任意の情報を推定することに関連する情報を格納するメモリ１３１６に接続され、図１２に関連して上述されたプロセッサに類似しうるプロセッサ１３１４によって分析されうる。
【００９０】
プロセッサ１３１４はさらに、ＤＬ特定モジュール１３１８および／または干渉モジュール１３２０に接続される。ＤＬ特定モジュール１３１８は、ランダム・アクセスのために利用されるアップリンク・キャリアに対応するダウンリンク・キャリアを決定するために、時間オフセットおよび／またはＲＡＣＨパラメータのセットを評価しうる。干渉モジュール１３２０は、アクセスのために利用されるリソースにおける干渉を除去しうる。さらに、干渉モジュール１３２０は、検出されたセルから受信されたパイロット信号および／またはＬＲＰを評価し、ＵＥが別のセルへリダイレクトされうるべきか否かを判定しうる。さらに、プロセッサ１３１４と別に示されているが、ＤＬ特定モジュール１３１８、干渉モジュール１３２０、復調器１３１２、および／または、変調器１３２２は、プロセッサ１３１４または複数のプロセッサ（図示せず）のうちの一部でありうることが認識されるべきである。
【００９１】
図１４は、無線通信システム１４００の例を示す。無線通信システム１４００は、簡潔さの目的で、１つの基地局１４１０と１つのモバイル・デバイス１４５０としか示していない。しかしながら、システム１４００は、１より多い基地局、および／または、１より多いモバイル・デバイスを含むことができ、これら追加の基地局および／またはモバイル・デバイスは、以下に説明する基地局１４１０およびモバイル・デバイス１４５０の例と実質的に同じでも、別のものでもありうることが認識されるべきである。それに加えて、基地局１４１０および／またはモバイル・デバイス１４５０は、その間の無線通信を容易にするために、本明細書に記載されたシステム（図１乃至図９、図１２乃至図１３）、および／または方法（図１０乃至図１１）を適用しうることが認識されるべきである。
【００９２】
基地局１４１０では、多くのデータ・ストリームのためのトラフィック・データが、データ・ソース１４１２から送信（ＴＸ）データ・プロセッサ１４１４へ提供される。一例によれば、おのおののデータ・ストリームが、それぞれのアンテナを介して送信される。ＴＸデータ・プロセッサ１４１４は、トラフィック・データ・ストリームをフォーマットし、このデータ・ストリームのために選択された特定の符合化スキームに基づいて符号化し、インタリーブして、符合化されたデータを提供する。
【００９３】
おのおののデータ・ストリームの符合化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは一般に、既知の方法で処理される既知のデータ・パターンであり、チャネル応答を推定するためにモバイル・デバイス１４５０において使用されうる。おのおののデータ・ストリームについて多重化されたパイロットおよび符号化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ１４３０によって実行または提供される指示によって決定されうる。
【００９４】
データ・ストリームの変調シンボルは、（例えば、ＯＦＤＭのために）変調シンボルを処理するＴＸ  ＭＩＭＯプロセッサ１４２０に提供される。ＴＸ  ＭＩＭＯプロセッサ１４２０は、その後、ＮＴ個の変調シンボル・ストリームを、ＮＴ個の送信機（ＴＭＴＲ）１４２２ａ乃至１４２２ｔへ提供する。さまざまな実施形態において、ＴＸ  ＭＩＭＯプロセッサ１４２０は、データ・ストリームのシンボル、および、そのシンボルが送信されるアンテナへ、ビームフォーミング重みを適用する。
【００９５】
おのおのの送信機１４２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機１４２２ａ乃至１４２２ｔからのＮＴ個の変調信号が、ＮＴ個のアンテナ１４２４ａ乃至１４２４ｔそれぞれから送信される。
【００９６】
モバイル・デバイス１４５０では、送信された変調信号は、ＮＲ個のアンテナ１４５２ａ乃至１４５２ｒによって受信され、おのおののアンテナ１４５２から受信した信号は、受信機（ＲＣＶＲ）１４５４ａ乃至１４５４ｒのそれぞれに提供される。おのおのの受信機１４５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００９７】
ＲＸデータ・プロセッサ１４６０は、ＮＲ個の受信機１４５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ１４６０は、検出されたおのおののシンボル・ストリームを復調し、デインタリーブし、復号して、そのデータ・ストリームのためのトラフィック・データを復元する。ＲＸデータ・プロセッサ１４６０による処理は、基地局１４１０におけるＴＸ  ＭＩＭＯプロセッサ１４２０およびＴＸデータ・プロセッサ１４１４によって実行されるものと相補的である。
【００９８】
プロセッサ１４７０は、上述したように、どの事前符合化行列を使用するのかを定期的に決定する。さらに、プロセッサ１４７０は、行列インデクス部およびランク値部を備えた逆方向リンク・メッセージを規定することができる。
【００９９】
逆方向リンク・メッセージは、通信リンクおよび／または受信されたデータ・ストリームに関するさまざまなタイプの情報を備えうる。逆方向のリンク・メッセージは、データ・ソース１４３６からの多くのデータ・ストリームに関するトラフィック・データも受信するＴＸデータ・プロセッサ１４３８によって処理され、変調器１４８０によって変調され、送信機１４５４ａ乃至１４５４ｒによって調整され、基地局１４１０へ送り戻される。
【０１００】
基地局１４１０では、モバイル・デバイス１４５０からの変調信号が、アンテナ１４２４によって受信され、受信機１４２２によって調整され、復調器１４４０によって復調され、ＲＸデータ・プロセッサ１４４２によって処理されて、モバイル・デバイス１４５０によって送信された逆方向リンク・メッセージが抽出される。さらに、プロセッサ１４３０は、ビームフォーミング重みを決定するためにどの事前符号化行列を使用するかを決定するために、この抽出されたメッセージを処理する。
【０１０１】
プロセッサ１４３０およびプロセッサ１４７０は、基地局１４１０およびモバイル・デバイス１４５０それぞれにおける動作を指示（例えば、制御、調整、管理等）する。プロセッサ１４３０およびプロセッサ１４７０はそれぞれ、プログラム・コードおよびデータを格納するメモリ１４３２およびメモリ１４７２に関連付けられうる。プロセッサ１４３０およびプロセッサ１４７０はまた、アップリンクおよびダウンリンクそれぞれのための周波数およびインパルス応答推定値を導出する計算をも実行する。
【０１０２】
本明細書に記載された実施形態は、ハードウェア、ソフトウェア、ファームウェア、ミドルウェア、マイクロコード、あるいはこれらの任意の組み合わせで実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロ・コントローラ、マイクロ・プロセッサ、本明細書に記載の機能を実行するために設計されたその他の電子ユニット、あるいはこれらの組み合わせ内に実装されうる。
【０１０３】
これら実施形態が、ソフトウェア、ファームウェア、ミドルウェアあるいはマイクロコード、プログラム・コードあるいはコード・セグメントで実現される場合、これらは、例えば記憶素子のような機械読取可能媒体に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡および／または受信を行うことによって、他のコード・セグメントまたはハードウェア回路に接続されうる。情報、引数、パラメータ、データなどは、メモリ共有、メッセージ引渡し、トークン引渡、ネットワーク送信などを含む任意の適切な手段を用いて引渡、転送、あるいは送信されうる。
【０１０４】
ソフトウェアで実現する場合、本明細書に記載のこれら技術は、本明細書に記載の機能を実行するモジュール（例えば、手続き、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【０１０５】
図１５を参照して、ランダム・アクセスを実行するためにアップリンク・キャリアを識別するシステム１５００が例示される。例えば、システム１０００は、基地局、モバイル・デバイスなどの中に少なくとも部分的に存在しうる。システム１５００は、プロセッサ、ソフトウェア、またはそれらの組み合わせ（例えば、ファームウェア）によって実現される機能を表す機能ブロックでありうる機能ブロックを含むものとして示されることが認識されるべきである。システム１５００は、連携して動作しうる電子構成要素の論理グループ１５０２を含む。論理グループ１５０２は、複数のアップリンク・キャリアから、ランダム・アクセスのためにＵＥによって使用されるべきアップリンク・キャリアを決定するための電子構成要素１５０４を含みうる。それに加えて、論理グループ１５０２は、決定されたアップリンク・キャリアによってランダム・アクセスを実行するための電子構成要素１５０６を備えうる。さらに、システム１５００は、電子構成要素１５０４、１５０６に関連付けられた機能を実行するための命令群を保持するメモリ１５０８を含みうる。メモリ１５０８の外側にあるとして示されているが、電子構成要素１５０４、１５０６のうちの１または複数は、メモリ１５０８内に存在しうることが理解されるべきである。
【０１０６】
図１６に移って、マルチ・キャリア無線環境においてランダム・アクセスを実行するシステム１６００が例示されている。システム１６００は、例えば、基地局、モバイル・デバイス等に存在しうる。図示するように、システム１６００は、プロセッサ、ソフトウェア、または（例えば、ファームウェアのような）これらの組み合わせによって実現される機能を表しうる。システム１６００は、マルチ・キャリア無線環境において、ユーザ機器とのランダム・アクセスを実行することを容易にする電子構成要素からなる論理グループ１６０２を含む。論理グループ１６０２は、ＵＥのためのランダム・アクセスに関連するランダム・アクセス・プリアンブルをアップリンク・キャリアによって受信するための電子構成要素１６０４を含みうる。ここで、アップリンク・キャリアは、複数のアップリンク・キャリアから決定される。それに加えて、論理グループ１６０２は、決定されたアップリンク・キャリアによってランダム・アクセスを実行するための電子構成要素１６０６を備えうる。さらに、システム１６００は、電子構成要素１６０４、１６０６に関連付けられた機能を実行するための命令群を保持するメモリ１６０８を含みうる。メモリ１６０８の外側にあると示されているが、電子構成要素１６０４、１６０６のうちの１または複数は、メモリ１６０８内に存在しうることが理解されるべきである。
【０１０７】
上述したものは、１または複数の実施形態の一例を含んでいる。もちろん、上述した実施形態を説明する目的で、構成要素または方法の考えられるすべての組み合わせを記述することは可能ではないが、当業者であれば、さまざまな実施形態のさらに多くの組み合わせおよび置き換えが可能であることを認識することができる。したがって、記載された実施形態は、特許請求の範囲の精神およびスコープ内にあるそのようなすべての変更、変更、および変形を含むことが意図される。さらにまた、用語「含む」が、詳細説明あるいは特許請求の範囲のうちの何れかで使用されている限り、その用語は、用語「備える」が、請求項における遷移語として適用される場合に解釈される用語「備える」と同様に、包括的であることが意図される。
なお、以下に、出願当初の特許請求の範囲に記載された発明を付記する。
［発明１］
マルチ・キャリア無線環境内でランダム・アクセスを実行することを容易にする無線通信の方法であって、
複数のアップリンク・キャリアから、ランダム・アクセスのためにユーザ機器（ＵＥ）によって使用されるべきアップリンク・キャリアを決定することと、
前記決定されたアップリンク・キャリアによってランダム・アクセスを実行することとを備える方法。
［発明２］
前記アップリンク・キャリアを決定することはさらに、
複数のダウンリンク・キャリアからダウンリンク・アンカ・キャリアを決定することと、
ランダム・アクセスのために使用されるべきアップリンク・キャリアとして、前記ダウンリンク・アンカ・キャリアに対応するアップリンク・キャリアを選択することと
を備える発明１に記載の方法。
［発明３］
前記アップリンク・キャリアを決定することはさらに、
前記ＵＥが同期され、前記ＵＥがシステム情報のうちの少なくとも一部を受信するダウンリンク・キャリアに、前記ＵＥがキャンプされるダウンリンク・キャリアを決定することと、
ランダム・アクセスのために使用されるべきアップリンク・キャリアとして、前記ダウンリンク・キャリアに対応するアップリンク・キャリアを選択することと
を備える発明１に記載の方法。
［発明４］
前記アップリンク・キャリアを決定することはさらに、ランダム・アクセスのために使用されるべきアップリンク・キャリアとして、前記ＵＥがランダム・アクセス・パラメータを知っている複数のアップリンク・キャリアのうちの１つをランダムに選択することを備える発明１に記載の方法。
［発明５］
前記アップリンク・キャリアを決定することはさらに、
前記ＵＥの帯域幅能力に基づいて、１または複数のアップリンク・キャリアのセットを判定することと、
ランダム・アクセスのために使用されるべきアップリンク・キャリアとして、前記１または複数のアップリンク・キャリアのセットから、アップリンク・キャリアを選択することと
を備える発明１に記載の方法。
［発明６］
前記ランダム・アクセスを実行することはさらに、
基地局へランダム・アクセス・プリアンブルを送信することと、
アップリンク許可を備えるランダム・アクセス応答を前記基地局から受信することと、
前記アップリンク許可にしたがって、スケジュールされた送信を、前記基地局へ送ることと
を備える発明１に記載の方法。
［発明７］
干渉除去されたリソースで、検出可能なセルから、基準信号を受信することと、
前記検出可能なセルための基準信号測定値を取得することと
をさらに備える発明１に記載の方法。
［発明８］
前記ランダム・アクセスを実行することはさらに、
前記基準信号測定値を第１のセルへ送信することと、
前記基準信号測定値に基づいて選択された第２のセルを特定するメッセージを受信することと、
前記第２のセルにアクセスすることと
を備える発明７に記載の方法。
［発明９］
前記第２のセルへアクセスすることはさらに、
前記受信したメッセージから、前記第２のセルのシステム情報を取得することと、
前記システム情報に基づいて、前記第２のセルにアクセスすることと
を備える発明８に記載の方法。
［発明１０］
前記アップリンク・キャリアを決定することはさらに、前記基準信号測定値に基づいて、ランダム・アクセスのためのアップリンク・キャリアおよびセルを選択することを備え、
前記ランダム・アクセスを実行することはさらに、前記選択されたアップリンク・キャリアによって、前記選択されたセルへのランダム・アクセスを実行することを備える発明７に記載の方法。
［発明１１］
前記アップリンク・キャリアおよびセルを選択することはさらに、前記検出可能なセルの負荷情報にさらに基づいて、前記アップリンク・キャリアおよびセルを選択することを備える発明１０に記載の方法。
［発明１２］
前記ランダム・アクセスを実行することはさらに、近隣のセルからの干渉除去されたアップリンク・リソースで、ランダム・アクセス・プリアンブルを送信することを備える発明１に記載の方法。
［発明１３］
前記ランダム・アクセスが不成功である場合、
前記複数のアップリンク・キャリアから、別のアップリンク・キャリアを選択することと、
前記別のアップリンク・キャリアによってランダム・アクセスを実行することと
をさらに備える発明１に記載の方法。
［発明１４］
前記ランダム・アクセスを実行することはさらに、
少なくとも１つのダウンリンク（ＤＬ）キャリアのおのおのについて、物理ランダム・アクセス・チャネル（ＰＲＡＣＨ）パラメータのセットを特定することと、
ランダム・アクセスのために使用されるべきアップリンク・キャリアとして、獲得されたダウンリンク・キャリアに対応するアップリンク・キャリアを選択することと、
ランダム・アクセスを実行するために、前記ＵＥによって特定および使用されたＰＲＡＣＨパラメータのセットに基づいて、前記ＵＥによって獲得されたダウンリンク・キャリアを基地局が特定できるようにする、対応するＰＲＡＣＨパラメータを用いて、前記選択されたアップリンク・キャリアにおけるランダム・アクセスを実行することと、
前記獲得されたダウンリンク・キャリアでランダム・アクセス応答を受信することとを備える発明１に記載の方法。
［発明１５］
前記獲得されたＤＬキャリアはダウンリンク・アンカ・キャリアである発明１４に記載の方法。
［発明１６］
前記ＰＲＡＣＨパラメータのセットに基づいて、特定のラジオ・フレーム、前記ラジオ・フレーム内のサブフレーム、および周波数領域における物理リソース・ブロックのうちの少なくとも１つを特定することをさらに備える発明１４に記載の方法。
［発明１７］
前記ランダム・アクセスを実行することはさらに、
少なくとも１つのＤＬキャリアのおのおのを用いて、物理ランダム・アクセス・チャンネル（ＰＲＡＣＨ）パラメータのセットを特定することと、
前記少なくとも１つのダウンリンク・キャリアから、ダウンリンク・アンカ・キャリアを決定することと、
ランダム・アクセスのために使用されるべきアップリンク・キャリアとして、前記ダウンリンク・アンカ・キャリアに対応するアップリンク・キャリアを選択することと、
前記対応するＰＲＡＣＨパラメータを用いて、前記選択されたアップリンク・キャリアで前記ランダム・アクセスを実行することと、
前記特定されたＰＲＡＣＨパラメータのセットに基づいて、基地局が、前記ダウンリンク・アンカ・キャリアを特定できるようにすることと、
前記ダウンリンク・アンカ・キャリアでランダム・アクセス応答を受信することと
を備える発明１に記載の方法。
［発明１８］
無線通信装置であって、
複数のアップリンク・キャリアから、ランダム・アクセスのためにユーザ機器（ＵＥ）によって使用されるべきアップリンク・キャリアを決定し、前記決定されたアップリンク・キャリアによってランダム・アクセスを実行するように構成された少なくとも１つのプロセッサと、
前記少なくとも１つのプロセッサに接続されたメモリと
を備える無線通信装置。
［発明１９］
複数のダウンリンク・キャリアからダウンリンク・アンカ・キャリアを決定し、
ランダム・アクセスのために使用されるべきアップリンク・キャリアとして、前記ダウンリンク・アンカ・キャリアに対応するアップリンク・キャリアを選択する
ように構成された少なくとも１つのプロセッサをさらに備える発明１８に記載の無線通信装置。
［発明２０］
前記ＵＥが同期され、前記ＵＥがシステム情報のうちの一部を受信するダウンリンク・キャリアに、前記ＵＥがキャンプされるダウンリンク・キャリアを決定し、
ランダム・アクセスのために使用されるべきアップリンク・キャリアとして、前記ダウンリンク・キャリアに対応するアップリンク・キャリアを選択する
ように構成された少なくとも１つのプロセッサをさらに備える発明１８に記載の無線通信装置。
［発明２１］
ランダム・アクセスのために使用されるべきアップリンク・キャリアとして、前記ＵＥがランダム・アクセス・パラメータを知っている複数のアップリンク・キャリアのうちの１つをランダムに選択するように構成された少なくとも１つのプロセッサをさらに備える発明１８に記載の無線通信装置。
［発明２２］
前記ＵＥの帯域幅能力に基づいて、１または複数のアップリンク・キャリアのセットを判定し、
ランダム・アクセスのために使用されるべきアップリンク・キャリアとして、前記１または複数のアップリンク・キャリアのセットから、アップリンク・キャリアを選択するように構成された少なくとも１つのプロセッサをさらに備える発明１８に記載の無線通信装置。
［発明２３］
ランダム・アクセスのためのアップリンク・キャリアを選択する無線通信装置であって、
複数のアップリンク・キャリアから、ランダム・アクセスのためにユーザ機器（ＵＥ）によって使用されるべきアップリンク・キャリアを決定する手段と、
前記決定されたアップリンク・キャリアによってランダム・アクセスを実行する手段とを備える無線通信装置。
［発明２４］
前記アップリンク・キャリアを決定する手段はさらに、
複数のダウンリンク・キャリアからダウンリンク・アンカ・キャリアを決定する手段と、
ランダム・アクセスのために使用されるべきアップリンク・キャリアとして、前記ダウンリンク・アンカ・キャリアに対応するアップリンク・キャリアを選択する手段と
を備える発明２３に記載の無線通信装置。
［発明２５］
前記アップリンク・キャリアを決定する手段はさらに、
前記ＵＥが同期され、前記ＵＥがシステム情報のうちの少なくとも一部を受信するダウンリンク・キャリアに、前記ＵＥがキャンプされるダウンリンク・キャリアを決定する手段と、
ランダム・アクセスのために使用されるべきアップリンク・キャリアとして、前記ダウンリンク・キャリアに対応するアップリンク・キャリアを選択する手段と
備える発明２３に記載の無線通信装置。
［発明２６］
前記アップリンク・キャリアを決定する手段はさらに、ランダム・アクセスのために使用されるべきアップリンク・キャリアとして、前記ＵＥがランダム・アクセス・パラメータを知っている複数のアップリンク・キャリアのうちの１つをランダムに選択することを備える発明２３に記載の無線通信装置。
［発明２７］
前記アップリンク・キャリアを決定する手段はさらに、
前記ＵＥの帯域幅能力に基づいて、１または複数のアップリンク・キャリアのセットを判定する手段と、
ランダム・アクセスのために使用されるべきアップリンク・キャリアとして、前記１または複数のアップリンク・キャリアのセットから、アップリンク・キャリアを選択する手段と
備える発明２３に記載の無線通信装置。
［発明２８］
前記ランダム・アクセスを実行する手段はさらに、
基地局へランダム・アクセス・プリアンブルを送信する手段と、
アップリンク許可を備えるランダム・アクセス応答を前記基地局から受信する手段と、
前記アップリンク許可にしたがって、スケジュールされた送信を、前記基地局へ送る手段と
を備える発明２３に記載の無線通信装置。
［発明２９］
検出可能なセルから基準信号を受信する手段と、
前記検出可能なセルための基準信号測定値を取得する手段と
をさらに備える発明２３に記載の無線通信装置。
［発明３０］
前記検出可能なセルからの基準信号は、干渉除去されたリソースにある発明２９に記載の無線通信装置。
［発明３１］
前記ランダム・アクセスを実行する手段はさらに、
前記基準信号測定値を第１のセルへ送信する手段と、
前記基準信号測定値に基づいて選択された第２のセルを特定するメッセージを受信する手段と、
前記第２のセルにアクセスする手段と
を備える発明２９に記載の無線通信装置。
［発明３２］
前記第２のセルへアクセスする手段はさらに、
前記受信したメッセージから、前記第２のセルのシステム情報を取得する手段と、
前記システム情報に基づいて、前記第２のセルにアクセスする手段と
を備える発明３１に記載の無線通信装置。
［発明３３］
前記アップリンク・キャリアを決定する手段はさらに、前記基準信号測定値に基づいて、ランダム・アクセスのためのアップリンク・キャリアおよびセルを選択する手段を備え、
前記ランダム・アクセスを実行する手段はさらに、前記選択されたアップリンク・キャリアによって、前記選択されたセルへのランダム・アクセスを実行する手段を備える発明２９に記載の無線通信装置。
［発明３４］
前記アップリンク・キャリアおよびセルを選択する手段はさらに、前記検出可能なセルの負荷情報にさらに基づいて、前記アップリンク・キャリアおよびセルを選択する手段を備える発明３３に記載の無線通信装置。
［発明３５］
前記ランダム・アクセスを実行する手段はさらに、近隣のセルからの干渉除去されたアップリンク・リソースで、ランダム・アクセス・プリアンブルを送信する手段を備える発明２３に記載の無線通信装置。
［発明３６］
前記ランダム・アクセスが不成功である場合、
前記複数のアップリンク・キャリアから、別のアップリンク・キャリアを選択する手段と、
前記別のアップリンク・キャリアによってランダム・アクセスを実行する手段と
をさらに備える発明２３に記載の無線通信装置。
［発明３７］
前記ランダム・アクセスを実行する手段はさらに、
少なくとも１つのダウンリンク（ＤＬ）キャリアのおのおのについて、基地局が定義する物理ランダム・アクセス・チャネル（ＰＲＡＣＨ）パラメータのセットを特定する手段と、
ランダム・アクセスのために使用されるべきアップリンク・キャリアとして、獲得されたダウンリンク・キャリアに対応するアップリンク・キャリアを選択する手段と、
ランダム・アクセスを実行するために、前記ＵＥによって特定および使用されたＰＲＡＣＨパラメータのセットに基づいて、前記ＵＥによって獲得されたダウンリンク・キャリアを基地局が特定できうるようにする、対応するＰＲＡＣＨパラメータを用いて、前記選択されたアップリンク・キャリアにおけるランダム・アクセスを実行する手段と、
前記獲得されたダウンリンク・キャリアでランダム・アクセス応答を受信する手段とを備える発明２３に記載の無線通信装置。
［発明３８］
前記ダウンリンク・キャリアはアンカ・ダウンリンク・キャリアである発明３７に記載の無線通信装置。
［発明３９］
前記ＰＲＡＣＨパラメータのセットに基づいて、特定のラジオ・フレーム、前記ラジオ・フレーム内のサブフレーム、および周波数領域における物理リソース・ブロックのうちの少なくとも１つを特定する手段をさらに備える発明３７に記載の無線通信装置。
［発明４０］
コンピュータ読取可能媒体を備えるコンピュータ・プログラム製品であって、
前記コンピュータ読取可能媒体は、
少なくとも１つのコンピュータに対して、複数のアップリンク・キャリアから、ランダム・アクセスのためにユーザ機器（ＵＥ）によって使用されるべきアップリンク・キャリアを決定させるためのコードと、
少なくとも１つのコンピュータに対して、前記決定されたアップリンク・キャリアによってランダム・アクセスを実行させるためのコードと
を備えるコンピュータ・プログラム製品
［発明４１］
無線環境におけるマルチ・キャリアのためのランダム・アクセスを実行することを容易にする無線通信の方法であって、
ユーザ機器（ＵＥ）のためのランダム・アクセスに関連するランダム・アクセス・プリアンブルを、複数のアップリンク・キャリアから決定されるアップリンク・キャリアによって受信することと、
前記決定されたアップリンク・キャリアに基づいてランダム・アクセスを実行することと
を備える方法。
［発明４２］
複数のダウンリンク・キャリアからダウンリンク・キャリアを決定することと、
ランダム・アクセスのために使用されるべきアップリンク・キャリアとして、前記ダウンリンク・キャリアに対応するアップリンク・キャリアを選択することと、
前記ランダム・アクセスを実行するアップリンク・キャリア選択について前記ＵＥに通知することと
をさらに備える発明４１に記載の方法。
［発明４３］
前記ダウンリンク・キャリアがアンカ・キャリアである発明４２に記載の方法。
［発明４４］
前記ダウンリンク・キャリアを決定することはさらに、前記基準信号測定値、チャネル品質フィードバック、および、前記検出可能なセルの負荷情報のうちの少なくとも１つに基づいて、ランダム・アクセスのためのダウンリンク・キャリアおよびセルを選択することを備える発明４２に記載の方法。
［発明４５］
前記ＵＥの帯域幅能力に基づいて、１または複数のアップリンク・キャリアのセットを判定することと、
ランダム・アクセスのために使用されるべきアップリンク・キャリアとして、前記１または複数のアップリンク・キャリアのセットから、アップリンク・キャリアを選択することと、
前記ランダム・アクセスを実行するアップリンク・キャリア選択について前記ＵＥに通知することと
をさらに備える発明４１に記載の方法。
［発明４６］
前記アップリンク・キャリアを選択することはさらに、前記基準信号測定値、チャネル品質フィードバック、前記検出可能なセルの負荷情報のうちの少なくとも１つに基づいて、ランダム・アクセスのためのアップリンク・キャリアおよびセルを選択することを備える発明４５に記載の方法。
［発明４７］
前記ランダム・アクセスを実行することはさらに、
基地局においてランダム・アクセス・プリアンブルを受信することと、
ランダム・アクセスのために使用される前記１または複数のダウンリンク・キャリアのセットを決定することと、
前記基地局からのアップリンク許可を備える、前記決定された１または複数のダウンリンク・キャリアのセットで、ランダム・アクセス応答を送信することと、
前記アップリンク許可に従って、前記基地局において、スケジュールされた送信を受信することと
を備える発明４１に記載の方法。
［発明４８］
ランダム・アクセスを実行するために定義され前記ＵＥによって使用されるＰＲＡＣＨパラメータのセットに基づいて、前記ＵＥによって獲得されたダウンリンク・キャリアを特定することと、
前記特定されたダウンリンク・キャリアでランダム・アクセス応答を送信することとをさらに備える発明４７に記載の方法。
［発明４９］
前記ランダム・アクセスを実行することはさらに、近隣のセルからの干渉除去されたアップリンク・リソースで、ランダム・アクセス・プリアンブルを受信することを備える発明４１に記載の方法。
［発明５０］
前記ランダム・アクセスが不成功である場合、
前記複数のアップリンク・キャリアから、別のアップリンク・キャリアを選択することと、
前記ランダム・アクセスを実行するアップリンク・キャリア選択について前記ＵＥに通知することと、
前記別のアップリンク・キャリアに基づいてランダム・アクセスを実行することと
をさらに備える発明４１に記載の方法。
［発明５１］
少なくとも１つの検出可能なセルについて、干渉のあるリソースをクリアすることをさらに備え、前記リソースは、ランダム・アクセスのために必要とされる発明４１に記載の方法。
［発明５２］
無線環境におけるマルチ・キャリアのためのランダム・アクセスを実行することを容易にする無線通信の方法であって、
少なくとも１つのダウンリンク（ＤＬ）キャリアのおのおのについて、物理ランダム・アクセス・チャネル（ＰＲＡＣＨ）パラメータのセットを定義することを備える方法。
［発明５３］
前記パラメータのセットは、少なくとも、特定のラジオ・フレーム、前記ラジオ・フレーム内のサブフレーム、および周波数領域における物理リソース・ブロックを含む発明５２に記載の方法。
［発明５４］
ランダム・アクセスを実行するために定義され前記ＵＥによって使用されるＰＲＡＣＨパラメータのセットに基づいて、前記ＵＥによって獲得されたダウンリンク・キャリアを特定することと、
前記特定されたダウンリンク・キャリアでランダム・アクセス応答を送信することとをさらに備える発明５２に記載の方法。
［発明５５］
前記少なくとも１つのダウンリンク・キャリアからダウンリンク・キャリアを決定することと、
ランダム・アクセスのために使用されるべきアップリンク・キャリアとして、前記ダウンリンク・キャリアに対応するアップリンク・キャリアを選択することと、
前記ランダム・アクセスを実行するアップリンク・キャリア選択について前記ＵＥに通知することと
をさらに備える発明５２に記載の方法。
［発明５６］
前記ダウンリンク・キャリアを決定することはさらに、前記基準信号測定値、チャネル品質フィードバック、および、前記検出可能なセルの負荷情報のうちの少なくとも１つに基づいて、ランダム・アクセスのためのダウンリンク・キャリアおよびセルを選択することを備える発明５２に記載の方法。
［発明５７］
無線通信装置であって、
ユーザ機器（ＵＥ）のためのランダム・アクセスに関連するランダム・アクセス・プリアンブルを、複数のアップリンク・キャリアから決定されたアップリンク・キャリアによって受信し、
前記決定されたアップリンク・キャリアに基づいてランダム・アクセスを実行するように構成された少なくとも１つのプロセッサと、
前記少なくとも１つのプロセッサに接続されたメモリと
を備える無線通信装置。
［発明５８］
無線通信装置であって、
少なくとも１つのダウンリンク（ＤＬ）キャリアのおのおのについて、物理ランダム・アクセス・チャネル（ＰＲＡＣＨ）パラメータのセットを定義するように構成された少なくとも１つのプロセッサを備える無線通信装置。
［発明５９］
ランダム・アクセスを実行するために定義され前記ＵＥによって使用されるＰＲＡＣＨパラメータのセットに基づいて、前記ＵＥによって獲得されたダウンリンク・キャリアを特定し、
前記特定されたダウンリンク・キャリアでランダム・アクセス応答を送信する
ように構成された少なくとも１つのプロセッサをさらに備える発明５８に記載の無線通信装置。
［発明６０］
前記少なくとも１つのダウンリンク・キャリアからダウンリンク・キャリアを決定し、
ランダム・アクセスのために使用されるべきアップリンク・キャリアとして、前記ダウンリンク・キャリアに対応するアップリンク・キャリアを選択し、
前記ランダム・アクセスを実行するアップリンク・キャリア選択について前記ＵＥに通知する
ように構成された少なくとも１つのプロセッサをさらに備える発明５８に記載の無線通信装置。
［発明６１］
無線環境におけるマルチ・キャリアのためのランダム・アクセスを実行する無線通信装置であって、
ユーザ機器（ＵＥ）のためのランダム・アクセスに関連するランダム・アクセス・プリアンブルを、複数のアップリンク・キャリアから決定されたアップリンク・キャリアによって受信する手段と、
前記決定されたアップリンク・キャリアに基づいてランダム・アクセスを実行する手段と
を備える無線通信装置。
［発明６２］
無線環境におけるマルチ・キャリアのためのランダム・アクセスを実行する無線通信装置であって、
少なくとも１つのダウンリンク（ＤＬ）キャリアのおのおのについて、物理ランダム・アクセス・チャネル（ＰＲＡＣＨ）パラメータのセットを定義する手段を備える無線通信装置。
［発明６３］
ランダム・アクセスを実行するために定義され前記ＵＥによって使用されるＰＲＡＣＨパラメータのセットに基づいて、前記ＵＥによって獲得されたダウンリンク・キャリアを特定する手段と、
前記特定されたダウンリンク・キャリアで前記ランダム・アクセス応答を送信する手段と
をさらに備える発明６２に記載の無線通信装置。
［発明６４］
前記少なくとも１つのダウンリンク・キャリアからダウンリンク・キャリアを決定する手段と、
ランダム・アクセスのために使用されるべきアップリンク・キャリアとして、前記ダウンリンク・キャリアに対応するアップリンク・キャリアを選択する手段と、
前記ランダム・アクセスを実行するアップリンク・キャリア選択について前記ＵＥに通知する手段と
をさらに備える発明６２に記載の無線通信装置。
［発明６５］
コンピュータ読取可能媒体を備えるコンピュータ・プログラム製品であって、
前記コンピュータ読取可能媒体は、
少なくとも１つのコンピュータに対して、ユーザ機器（ＵＥ）のためのランダム・アクセスに関連するランダム・アクセス・プリアンブルを、複数のアップリンク・キャリアから決定されたアップリンク・キャリアによって受信させるためのコードと、
少なくとも１つのコンピュータに対して、前記決定されたアップリンク・キャリアに基づいてランダム・アクセスを実行させるためのコードと
を備えるコンピュータ・プログラム製品。
［発明６６］
コンピュータ読取可能媒体を備えるコンピュータ・プログラム製品であって、
前記コンピュータ読取可能媒体は、少なくとも１つのコンピュータに対して、少なくとも１つのダウンリンク（ＤＬ）キャリアのおのおのについて、物理ランダム・アクセス・チャネル（ＰＲＡＣＨ）パラメータのセットを定義させるためのコードを備えるコンピュータ・プログラム製品。
［発明６７］
少なくとも１つのコンピュータに対して、ランダム・アクセスを実行するために定義され前記ＵＥによって使用されるＰＲＡＣＨパラメータのセットに基づいて、前記ＵＥによって獲得されたダウンリンク・キャリアを特定させるためのコードと、
少なくとも１つのコンピュータに対して、前記特定されたダウンリンク・キャリアで前記ランダム・アクセス応答を送信させるためのコードと
を備えるコンピュータ読取可能媒体をさらに備える発明６６に記載のコンピュータ・プログラム製品。
［発明６８］
前記コンピュータ読取可能媒体は、
少なくとも１つのコンピュータに対して、前記少なくとも１つのダウンリンク・キャリアからダウンリンク・キャリアを決定させるためのコードと、
少なくとも１つのコンピュータに対して、ランダム・アクセスのために使用されるべきアップリンク・キャリアとして、前記ダウンリンク・キャリアに対応するアップリンク・キャリアを選択させるためのコードと、
少なくとも１つのコンピュータに対して、前記ランダム・アクセスを実行するアップリンク・キャリア選択について前記ＵＥに通知させるためのコードと
をさらに備える発明６６に記載のコンピュータ・プログラム製品。
［発明６９］
ダウンリンク・キャリアを備えたオフセットを利用することを容易にする方法であって、
物理ランダム・アクセス・チャネル（ＰＲＡＣＨ）が向けられているダウンリンク・キャリアに対応する１または複数の時間オフセットを定義することと、
アップリンクによってメッセージを通信する場合、前記１または複数の時間オフセットを適用することと、
受信された時間オフセットに基づいて、前記ダウンリンク・キャリアを特定することとを備える方法。
［発明７０］
前記１または複数の時間オフセットは、同じＰＲＡＣＨパラメータを共有する別のダウンリンク・キャリアについて異なる発明６９に記載の方法。
［発明７１］
前記ダウンリンク・キャリアに対応する１または複数の時間オフセットをブロードキャストすることをさらに備える発明６９に記載の方法。
［発明７２］
前記１または複数の時間オフセットをメモリ内に保持することをさらに備える発明６９に記載の方法。
［発明７３］
前記１または複数の時間オフセットは、予め定義されるか、動的に決定されるか、メモリに保持されるかのうちの少なくとも１つのである発明６９に記載の方法。
【図１】
0005373086.tif 000002
【図２】
0005373086.tif 000003
【図３】
0005373086.tif 000004
【図４】
0005373086.tif 000005
【図５】
0005373086.tif 000006
【図６】
0005373086.tif 000007
【図７】
0005373086.tif 000008
【図８】
0005373086.tif 000009
【図９】
0005373086.tif 000010
【図１０】
0005373086.tif 000011
【図１１】
0005373086.tif 000012
【図１２】
0005373086.tif 000013
【図１３】
0005373086.tif 000014
【図１４】
0005373086.tif 000015
【図１５】
0005373086.tif 000016
【図１６】
0005373086.tif 000017